(57)【特許請求の範囲】
【請求項１】
第1のユーザ端末によるワイヤレス通信の方法であって、
アクセスポイントから、ダウンリンク(DL)マルチユーザ(MU)物理層コンバージェンスプロトコル(PLCP)プロトコルデータユニット(PPDU)(DL MU PPDU)を受信するステップであって、前記DL MU PPDUが、第1の集約媒体アクセス制御(MAC)プロトコルデータユニット(A-MPDU)と、ブロック肯定応答(BA)トリガと、BAを前記アクセスポイントに送信するときに前記第1のユーザ端末に命令する所定の肯定応答ポリシーとを含み、前記第1のA-MPDUが複数のMPDUを含み、前記BAトリガは前記肯定応答ポリシーとは異なり、前記肯定応答ポリシーに従って前記第1のユーザ端末がBAによって応答することをトリガする、ステップと、
前記BAトリガおよび前記肯定応答ポリシーに基づき、第1のBAを前記アクセスポイントに送信するステップであって、前記第1のBAが、前記複数のMPDUのうちの1つまたは複数のMPDUに肯定応答する、ステップと
を含む、方法。
【請求項２】
前記第1のA-MPDUが前記BAトリガを含む、請求項1に記載の方法。
【請求項３】
前記第1のA-MPDUの各MPDUが前記BAトリガを含む、請求項1に記載の方法。
【請求項４】
前記DL MU PPDUが、前記BAトリガを含むプリアンブルを含む、請求項1に記載の方法。
【請求項５】
前記プリアンブルが、前記BAトリガを含むHE-SIG Bフィールドを含む、請求項4に記載の方法。
【請求項６】
前記第1のA-MPDUの各MPDUが、前記肯定応答ポリシーを含む、請求項1に記載の方法。
【請求項７】
前記アクセスポイントにBAを送信するときに前記第1のユーザ端末を命令する前記肯定応答ポリシーが、前記BAトリガを受信すると直ちに前記第1のBAを送信するように前記第1のユーザ端末に命令するポリシーを含む、請求項1に記載の方法。
【請求項８】
前記アクセスポイントにBAを送信するときに前記第1のユーザ端末を命令する前記肯定応答ポリシーが、前記BAトリガの受信からある期間後に前記第1のBAを送信するように前記第1のユーザ端末に命令するポリシーを含み、前記期間が、前記DL MU PPDUのエンドポイントから測定される、請求項1に記載の方法。
【請求項９】
前記期間が、短フレーム間空間(SIFS)を含む、請求項8に記載の方法。
【請求項１０】
前記第1のBAが前記アクセスポイントに送信された後に前記アクセスポイントにデータを送信するステップをさらに含む、請求項1に記載の方法。
【請求項１１】
アクセスポイントによるワイヤレス通信の方法であって、
ダウンリンク(DL)マルチユーザ(MU)物理層コンバージェンスプロトコル(PLCP)プロトコルデータユニット(PPDU)(DL MU PPDU)を第1のユーザ端末に送信するステップであって、前記DL MU PPDUが、第1の集約媒体アクセス制御(MAC)プロトコルデータユニット(A-MPDU)と、ブロック肯定応答(BA)トリガと、BAを前記アクセスポイントに送信するときに前記第1のユーザ端末に命令する所定の肯定応答ポリシーとを含み、前記第1のA-MPDUが複数のMPDUを含み、前記BAトリガは前記肯定応答ポリシーとは異なり、前記肯定応答ポリシーに従って前記第1のユーザ端末がBAによって応答することをトリガする、ステップと、
前記BAトリガおよび前記肯定応答ポリシーに基づき、前記第1のユーザ端末から第1のBAを受信するステップであって、前記第1のBAが、前記複数のMPDUのうちの1つまたは複数のMPDUに肯定応答する、ステップと
を含む、方法。
【請求項１２】
前記第1のA-MPDUが前記BAトリガを含む、請求項11に記載の方法。
【請求項１３】
前記第1のA-MPDUの各MPDUが前記BAトリガを含む、請求項11に記載の方法。
【請求項１４】
前記DL MU PPDUが、前記BAトリガを含むプリアンブルを含む、請求項11に記載の方法。
【請求項１５】
前記プリアンブルが、前記BAトリガを含むHE-SIG Bフィールドを含む、請求項14に記載の方法。
【請求項１６】
前記第1のA-MPDUの各MPDUが、前記肯定応答ポリシーを含む、請求項11に記載の方法。
【請求項１７】
前記アクセスポイントにBAを送信するときに前記第1のユーザ端末を命令する前記肯定応答ポリシーが、前記BAトリガを受信すると直ちに前記第1のBAを送信するように前記第1のユーザ端末に命令するポリシーを含む、請求項11に記載の方法。
【請求項１８】
前記アクセスポイントにBAを送信するときに前記第1のユーザ端末を命令する前記肯定応答ポリシーが、前記BAトリガの受信からある期間後に前記第1のBAを送信するように前記第1のユーザ端末に命令するポリシーを含み、前記期間が、前記DL MU PPDUのエンドポイントから測定される、請求項11に記載の方法。
【請求項１９】
前記期間が、短フレーム間空間(SIFS)を含む、請求項18に記載の方法。
【請求項２０】
前記第1のBAが前記第1のユーザ端末から受信された後に前記第1のユーザ端末からデータを受信するステップをさらに含む、請求項11に記載の方法。
【請求項２１】
ワイヤレス通信のための第1のユーザ端末であって、
メモリと、
前記メモリに結合される少なくとも1つのプロセッサとを備え、前記少なくとも1つのプロセッサが、
ダウンリンク(DL)マルチユーザ(MU)物理層コンバージェンスプロトコル(PLCP)プロトコルデータユニット(PPDU)(DL MU PPDU)をアクセスポイントから受信することであって、前記DL MU PPDUが、第1の集約媒体アクセス制御(MAC)プロトコルデータユニット(A-MPDU)と、ブロック肯定応答(BA)トリガと、BAを前記アクセスポイントに送信するときに前記第1のユーザ端末に命令する所定の肯定応答ポリシーとを含み、前記第1のA-MPDUが複数のMPDUを含み、前記BAトリガは前記肯定応答ポリシーとは異なり、前記肯定応答ポリシーに従って前記第1のユーザ端末がBAによって応答することをトリガする、受信することと、
前記BAトリガおよび前記肯定応答ポリシーに基づき、前記アクセスポイントに第1のBAを送信することであって、前記第1のBAが、前記複数のMPDUのうちの1つまたは複数のMPDUに肯定応答する、送信することと
を行うように構成された、第1のユーザ端末。
【請求項２２】
前記第1のA-MPDUが前記BAトリガを含む、請求項21に記載の第1のユーザ端末。
【請求項２３】
前記DL MU PPDUが、前記BAトリガを含むプリアンブルを含む、請求項21に記載の第1のユーザ端末。
【請求項２４】
前記アクセスポイントにBAを送信するときに前記第1のユーザ端末を命令する前記肯定応答ポリシーが、前記BAトリガを受信すると直ちに前記第1のBAを送信するように前記第1のユーザ端末に命令するポリシーを含む、請求項21に記載の第1のユーザ端末。
【請求項２５】
前記アクセスポイントにBAを送信するときに前記第1のユーザ端末を命令する前記肯定応答ポリシーが、前記BAトリガの受信からある期間後に前記第1のBAを送信するように前記第1のユーザ端末に命令するポリシーを含み、前記期間が、前記DL MU PPDUのエンドポイントから測定される、請求項21に記載の第1のユーザ端末。
【請求項２６】
コードを記録するコンピュータ可読記録媒体であって、前記コードは、実行されたときに、第1のユーザ端末に、
ダウンリンク(DL)マルチユーザ(MU)物理層コンバージェンスプロトコル(PLCP)プロトコルデータユニット(PPDU)(DL MU PPDU)をアクセスポイントから受信することであって、前記DL MU PPDUが、第1の集約媒体アクセス制御(MAC)プロトコルデータユニット(A-MPDU)と、ブロック肯定応答(BA)トリガと、BAを前記アクセスポイントに送信するときに前記第1のユーザ端末に命令する所定の肯定応答ポリシーとを含み、前記第1のA-MPDUが複数のMPDUを含み、前記BAトリガは前記肯定応答ポリシーとは異なり、前記肯定応答ポリシーに従って前記第1のユーザ端末がBAによって応答することをトリガする、受信することと、
前記BAトリガおよび前記肯定応答ポリシーに基づき、第1のBAを前記アクセスポイントに送信することであって、前記第1のBAが、前記複数のMPDUのうちの1つまたは複数のMPDUに肯定応答する、送信することと
を行わせる、コンピュータ可読記録媒体。
【請求項２７】
前記第1のA-MPDUが前記BAトリガを含む、請求項26に記載のコンピュータ可読記録媒体。
【請求項２８】
前記DL MU PPDUが、前記BAトリガを含むプリアンブルを含む、請求項26に記載のコンピュータ可読記録媒体。
【請求項２９】
前記アクセスポイントにBAを送信するときに前記第1のユーザ端末を命令する前記肯定応答ポリシーが、前記BAトリガを受信すると直ちに前記第1のBAを送信するように前記第1のユーザ端末に命令するポリシーを含む、請求項26に記載のコンピュータ可読記録媒体。
【請求項３０】
前記アクセスポイントにBAを送信するときに前記第1のユーザ端末を命令する前記肯定応答ポリシーが、前記BAトリガの受信からある期間後に前記第1のBAを送信するように前記第1のユーザ端末に命令するポリシーを含み、前記期間が、前記DL MU PPDUのエンドポイントから測定される、請求項26に記載のコンピュータ可読記録媒体。
【請求項３１】
ワイヤレス通信のためのアクセスポイントであって、
メモリと、
前記メモリに結合される少なくとも1つのプロセッサとを備え、前記少なくとも1つのプロセッサは、
ダウンリンク(DL)マルチユーザ(MU)物理層コンバージェンスプロトコル(PLCP)プロトコルデータユニット(PPDU)(DL MU PPDU)を第1のユーザ端末に送信することであって、前記DL MU PPDUが、第1の集約媒体アクセス制御(MAC)プロトコルデータユニット(A-MPDU)と、ブロック肯定応答(BA)トリガと、BAを前記アクセスポイントに送信するときに前記第1のユーザ端末に命令する所定の肯定応答ポリシーとを含み、前記第1のA-MPDUが複数のMPDUを含み、前記BAトリガは前記肯定応答ポリシーとは異なり、前記肯定応答ポリシーに従って前記第1のユーザ端末がBAによって応答することをトリガする、送信することと、
前記BAトリガおよび前記肯定応答ポリシーに基づき、第1のBAを前記第1のユーザ端末から受信することであって、前記第1のBAが、前記複数のMPDUのうちの1つまたは複数のMPDUに肯定応答する、受信することと
を行うように構成された、アクセスポイント。
【請求項３２】
前記第1のA-MPDUが前記BAトリガを含む、請求項31に記載のアクセスポイント。
【請求項３３】
前記DL MU PPDUが、前記BAトリガを含むプリアンブルを含む、請求項31に記載のアクセスポイント。
【請求項３４】
前記アクセスポイントにBAを送信するときに前記第1のユーザ端末を命令する前記肯定応答ポリシーが、前記BAトリガを受信すると直ちに前記第1のBAを送信するように前記第1のユーザ端末に命令するポリシーを含む、請求項31に記載のアクセスポイント。
【請求項３５】
前記アクセスポイントにBAを送信するときに前記第1のユーザ端末を命令する前記肯定応答ポリシーが、前記BAトリガの受信からある期間後に前記第1のBAを送信するように前記第1のユーザ端末に命令するポリシーを含み、前記期間が、前記DL MU PPDUのエンドポイントから測定される、請求項31に記載のアクセスポイント。
【請求項３６】
コードを記録するコンピュータ可読記録媒体であって、前記コードは、実行されたときに、アクセスポイントに、
ダウンリンク(DL)マルチユーザ(MU)物理層コンバージェンスプロトコル(PLCP)プロトコルデータユニット(PPDU)(DL MU PPDU)を第1のユーザ端末に送信することであって、前記DL MU PPDUが、第1の集約媒体アクセス制御(MAC)プロトコルデータユニット(A-MPDU)と、ブロック肯定応答(BA)トリガと、BAを前記アクセスポイントに送信するときに前記第1のユーザ端末に命令する所定の肯定応答ポリシーとを含み、前記第1のA-MPDUが複数のMPDUを含み、前記BAトリガは前記肯定応答ポリシーとは異なり、前記肯定応答ポリシーに従って前記第1のユーザ端末がBAによって応答することをトリガする、送信することと、
前記BAトリガおよび前記肯定応答ポリシーに基づき、第1のBAを前記第1のユーザ端末から受信することであって、前記第1のBAが、前記複数のMPDUのうちの1つまたは複数のMPDUに肯定応答する、受信することと
を行わせる、コンピュータ可読記録媒体。
【請求項３７】
前記第1のA-MPDUが前記BAトリガを含む、請求項36に記載のコンピュータ可読記録媒体。
【請求項３８】
前記DL MU PPDUが、前記BAトリガを含むプリアンブルを含む、請求項36に記載のコンピュータ可読記録媒体。
【請求項３９】
前記アクセスポイントにBAを送信するときに前記第1のユーザ端末を命令する前記肯定応答ポリシーが、前記BAトリガを受信すると直ちに前記第1のBAを送信するように前記第1のユーザ端末に命令するポリシーを含む、請求項36に記載のコンピュータ可読記録媒体。
【請求項４０】
前記アクセスポイントにBAを送信するときに前記第1のユーザ端末を命令する前記肯定応答ポリシーが、前記BAトリガの受信からある期間後に前記第1のBAを送信するように前記第1のユーザ端末に命令するポリシーを含み、前記期間が、前記DL MU PPDUのエンドポイントから測定される、請求項36に記載のコンピュータ可読記録媒体。
【発明の詳細な説明】
【技術分野】
【０００１】
関連出願の相互参照
本出願は、その全体が参照により本明細書に明確に組み込まれる、「BLOCK ACKNOWLEDGMENT MECHANISM FOR ACKNOWLEDGING DL-MU DATA ON UL-MU WIRELESS COMMUNICATION SYSTEM」と題する2015年5月6日に出願された米国仮出願第62/157,921号、および「BLOCK ACKNOWLEDGMENT MECHANISM FOR ACKNOWLEDGING DL-MU DATA ON UL-MU WIRELESS COMMUNICATION SYSTEM」と題する2016年5月3日に出願された米国特許出願第15/145,756号の利益を主張する。
【０００２】
本開示のいくつかの態様は全般に、ワイヤレス通信に関し、より具体的には、アップリンクマルチユーザワイヤレス通信システム上でダウンリンクマルチユーザデータに肯定応答するためのブロック肯定応答機構に関する。
【背景技術】
【０００３】
多くの電気通信システムでは、いくつかの相互作用する空間的に離れたデバイス間でメッセージを交換するために、通信ネットワークが使用される。ネットワークは、たとえば、メトロポリタンエリア、ローカルエリア、またはパーソナルエリアであり得る、地理的範囲に従って分類され得る。そのようなネットワークは、それぞれ、ワイドエリアネットワーク(WAN)、メトロポリタンエリアネットワーク(MAN)、ローカルエリアネットワーク(LAN)、またはパーソナルエリアネットワーク(PAN)と呼ばれ得る。ネットワークはまた、様々なネットワークノードとデバイスとを相互接続するために使用されるスイッチング/ルーティング技法(たとえば、回線交換対パケット交換)、送信のために採用される物理媒体のタイプ(たとえば、有線対ワイヤレス)、および使用される通信プロトコルのセット(たとえば、インターネットプロトコルスイート、SONET(同期光ネットワーキング)、イーサネット(登録商標)など)に応じて異なる。
【０００４】
ワイヤレスネットワークは、ネットワーク要素が移動式であり、したがって動的に接続する必要があるとき、またはネットワークアーキテクチャが、固定ではなくアドホックのトポロジーにおいて形成される場合に、好まれることが多い。ワイヤレスネットワークは、無線、マイクロ波、赤外線、光などの周波数帯域の中の電磁波を使用して、非誘導伝搬モードにおいて無形物理媒体を利用する。ワイヤレスネットワークは、有利なことに、固定有線ネットワークと比較すると、ユーザのモビリティおよび迅速なフィールド展開を容易にする。
【０００５】
ワイヤレス通信システムに要求される帯域幅要件の高まりの問題に対処するために、高いデータスループットを達成しながら、複数のユーザ端末がチャネルリソースを共有することによって単一のアクセスポイントと通信することを可能にするために、様々な方式が開発されている。
【発明の概要】
【発明が解決しようとする課題】
【０００６】
単一のユーザアップリンク手順を有するいくつかのシステムでは、即刻のブロック肯定応答(BA)に続く各BAが、ブロック肯定応答要求(BAR)を使用してポーリングされる。したがって、ダウンリンクマルチユーザパケットに肯定応答するための、より効率的なアップリンクBA機構が必要である。
【課題を解決するための手段】
【０００７】
本開示のある態様では、方法、コンピュータ可読媒体、および装置が提供される。装置は第1のユーザ端末であり得る。第1のユーザ端末は、複数のダウンリンク(DL)通信チャネルのうちの第1のDL通信チャネル上で、複数のDL通信チャネル上の第1のユーザ端末および第2のユーザ端末を含む複数のユーザ端末へアクセスポイントから送信されるDLマルチユーザ(MU)物理層コンバージェンスプロトコル(PLCP)プロトコルデータユニット(PPDU)を受信する。DL MU PPDUは、複数の媒体アクセス制御(MAC)プロトコルデータユニット(MPDU)を含む。第1のユーザ端末は、複数のUL通信チャネルのうちの第1のアップリンク(UL)通信チャネル上で、複数のUL通信チャネルのうちの第2のUL通信チャネル上での第2のユーザ端末からアクセスポイントへの第2のブロック肯定応答(BA)の送信と同時期に、第1のBAをアクセスポイントに送信する。第1のBAは、複数のMPDUのうちの1つまたは複数に肯定応答する。いくつかの構成では、第1のユーザ端末は、ULチャネル指示とBA指示とを取得する。第1のBAの送信は、ULチャネル指示およびBA指示に基づく。
【図面の簡単な説明】
【０００８】
【図１】アクセスポイントおよびユーザ端末を有する多元接続多入力多出力(MIMO)システムを示す図である。
【図２】MIMOシステムにおけるアクセスポイントおよび2つのユーザ端末のブロック図である。
【図３】MIMOシステム内で用いられ得るワイヤレスデバイスにおいて利用され得る様々な構成要素を示す図である。
【図４】ある機構においてDL/UL MU-MIMOシステムの中でBAフレームを送信する動作を示す図である。
【図５】別の機構においてDL/UL MU-MIMOシステムの中でBAフレームを送信する動作を示す図である。
【図６】さらに別の機構においてDL/UL MU-MIMOシステムの中でBAフレームを送信する動作を示す図である。
【図７】別の機構においてDL/UL MU-MIMOシステムの中でBAフレームを送信する動作を示す図である。
【図８】さらに別の機構においてDL/UL MU-MIMOシステムの中でBAフレームを送信する動作を示す図である。
【図９】複数のUL通信チャネル上で同時にまたは同時期にBAを送信する方法(プロセス)のフローチャートである。
【図１０】複数のUL通信チャネル上で同時にまたは同時期にBAを送信する方法(プロセス)の別のフローチャートである。
【図１１】例示的なワイヤレス通信デバイスの機能ブロック図である。
【発明を実施するための形態】
【０００９】
新規のシステム、装置、および方法の様々な態様が、添付の図面を参照しながら以下でより十分に説明される。しかしながら、本開示の教示は、多くの異なる形態で具現化され得るものであり、本開示全体にわたって提示される任意の特定の構造または機能に限定されるものと解釈されるべきではない。むしろ、これらの態様は、本開示が周到で完全になり、本開示の範囲を当業者に十分に伝えるように与えられるものである。本明細書の教示に基づいて、本開示の範囲が、本発明の何らかの他の態様とは無関係に実装されるにせよ、本発明の何らかの他の態様と組み合わされるにせよ、本明細書で開示される新規のシステム、装置、および方法のいかなる態様をも包含するものであることを、当業者は諒解されたい。たとえば、本明細書に記載される任意の数の態様を使用して、装置は実装され、または方法は実施され得る。さらに、本発明の範囲は、本明細書に記載される本発明の様々な態様に加えて、またはそれ以外の、他の構造、機能、または構造および機能を使用して実施されるような、装置または方法を包含するものとする。本明細書において開示されるいかなる態様も、請求項の1つまたは複数の要素によって具現化され得ることを理解されたい。
【００１０】
特定の態様が本明細書において説明されるが、これらの態様の多数の変形および置換が、本開示の範囲内にある。好ましい態様のいくつかの利益および利点について述べるが、本開示の範囲は、特定の利益、用途、または目的に限定されるものではない。そうではなく、本開示の態様は、様々なワイヤレス技法、システム構成、ネットワーク、および送信プロトコルに広く適用可能であり、それらのうちのいくつかが例として図および好ましい態様の以下の説明において示される。詳細な説明および図面は、限定ではなく、本開示の単なる例示であり、本開示の範囲は、添付の特許請求の範囲およびその均等物によって定義される。
【００１１】
ワイヤレスネットワーク技術は、様々なタイプのワイヤレスローカルエリアネットワーク(WLAN)を含み得る。WLANは、広く使用されているネットワーキングプロトコルを採用して、近くのデバイスを互いに相互接続するために使用され得る。本明細書において説明される様々な態様は、Wi-Fi、またはより一般的には、ワイヤレスプロトコルのIEEE802.11ファミリーの任意の部分などの、任意の通信規格に適用することができる。
【００１２】
いくつかの態様では、直交周波数分割多重(OFDM)、直接拡散方式(DSSS)通信、OFDMとDSSS通信の組合せ、または他の方式を使用する高効率802.11プロトコルに従ってワイヤレス信号が送信され得る。高効率802.11プロトコルの実装形態は、インターネットアクセス、センサ、計量、スマートグリッドネットワーク、または他のワイヤレス用途に使用され得る。有利には、この特定のワイヤレスプロトコルを実装するいくつかのデバイスの態様は、他のワイヤレスプロトコルを実装するデバイスより消費電力が少ないことがあり、短距離にわたってワイヤレス信号を送信するために使用されることがあり、かつ/または人などの物体によって妨害される可能性が低い信号を送信することがある。
【００１３】
いくつかの実装形態では、WLANは、ワイヤレスネットワークにアクセスする構成要素である様々なデバイスを含む。たとえば、アクセスポイント(AP)およびクライアント(局、すなわちSTAとも呼ばれる)という2つのタイプのデバイスがあり得る。一般に、APは、WLAN用のハブまたは基地局として働き、STAは、WLANのユーザとして働く。たとえば、STAは、ラップトップコンピュータ、携帯情報端末(PDA)、携帯電話などであり得る。ある例では、STAは、インターネットまたは他のワイドエリアネットワークへの一般的な接続性を得るために、Wi-Fi(たとえば、802.11ahなどのIEEE802.11プロトコル)準拠のワイヤレスリンクを介してAPに接続する。いくつかの実装形態では、STAはAPとして使用されることもある。
【００１４】
本明細書において説明される技法は、直交多重化方式に基づく通信システムを含む様々なブロードバンドワイヤレス通信システムに使用され得る。そのような通信システムの例には、空間分割多元接続(SDMA)、時分割多元接続(TDMA)、直交周波数分割多元接続(OFDMA)システム、シングルキャリア周波数分割多元接続(SC-FDMA)システムなどがある。SDMAシステムは、十分に異なる方向を利用して、複数のユーザ端末に属するデータを同時にまたは同時期に送信し得る。TDMAシステムは、複数のユーザ端末が、送信信号を異なるタイムスロットに分割することによって、同じ周波数チャネルを共有することを可能にすることがあり、各タイムスロットは、異なるユーザ端末に割り当てられる。TDMAシステムは、GSM(登録商標)または当技術分野で知られている何らかの他の規格を実装することができる。OFDMAシステムは、システム帯域幅全体を複数の直交するサブキャリアに分割する変調技法である、直交周波数分割多重化(OFDM)を利用する。これらのサブキャリアは、トーン、ビンなどと呼ばれることもある。OFDMでは、各サブキャリアは、データとともに独立して変調され得る。OFDMシステムは、IEEE802.11または当技術分野で知られている何らかの他の規格を実装することができる。SC-FDMAシステムは、システム帯域幅にわたって分散されたサブキャリア上で送信するためのインターリーブされたFDMA(IFDMA:interleaved FDMA)、隣接するサブキャリアのブロック上で送信するための局所化されたFDMA(LFDMA:localized FDMA)、または隣接するサブキャリアの複数のブロック上で送信するための拡張されたFDMA(EFDMA:enhancced FDMA)を利用することができる。一般に、変調シンボルは、OFDMを用いて周波数領域において送信され、SC-FDMAを用いて時間領域において送信される。SC-FDMAシステムは、3GPP-LTE(第3世代パートナーシッププロジェクトロングタームエボリューション)または他の規格を実装することができる。
【００１５】
本明細書の教示は、様々な有線装置またはワイヤレス装置(たとえば、ノード)に組み込まれ得る(たとえば、その装置内に実装されるか、またはその装置によって実行され得る)。いくつかの態様では、本明細書の教示に従って実装されるワイヤレスノードは、アクセスポイントまたはアクセス端末を含み得る。
【００１６】
アクセスポイント(AP)は、NodeB、無線ネットワークコントローラ(RNC)、eNodeB、基地局コントローラ(BSC)、基地トランシーバ局(BTS)、基地局(BS)、トランシーバ機能(TF)、無線ルータ、無線トランシーバ、基本サービスセット(BSS)、拡張サービスセット(ESS)、無線基地局(RBS)、または何らかの他の用語を備えることがあり、それらとして実装されることがあり、それらとして知られていることがある。
【００１７】
また、局(STA)は、ユーザ端末、アクセス端末(AT)、加入者局、加入者ユニット、移動局、遠隔局、遠隔端末、ユーザエージェント、ユーザデバイス、ユーザ機器、もしくは何らかの他の用語を含むことがあり、それらのいずれかとして実装されることがあり、またはそれらのいずれかとして知られていることがある。いくつかの実装形態では、STAは、携帯電話、コードレス電話、セッション開始プロトコル(SIP)電話、ワイヤレスローカルループ(WLL)局、携帯情報端末(PDA)、ワイヤレス接続機能を有するハンドヘルドデバイス、またはワイヤレスモデムに接続された何らかの他の好適な処理デバイスを含み得る。したがって、本明細書において教示される1つまたは複数の態様は、電話(たとえば、携帯電話またはスマートフォン)、コンピュータ(たとえば、ラップトップ)、ポータブル通信デバイス、ヘッドセット、ポータブルコンピューティングデバイス(たとえば、個人情報端末)、エンターテインメントデバイス(たとえば、音楽もしくはビデオデバイス、または衛星ラジオ)、ゲームデバイスまたはシステム、全地球測位システムデバイス、またはワイヤレス媒体を介して通信するように構成された任意の他の適切なデバイスに組み込まれ得る。
【００１８】
「アソシエート」もしくは「アソシエーション」という用語、またはそれらの任意の変形は、本開示の文脈の範囲内で可能な最も広い意味が与えられるべきである。例として、第1の装置が第2の装置にアソシエートするとき、2つの装置が直接アソシエートされることがあり、または中間的な装置が存在することがあることを理解されたい。簡潔のために、2つの装置間でアソシエーションを確立するためのプロセスは、装置のうちの一方による「アソシエーション要求」と、それに後続する他方の装置による「アソシエーション応答」とを必要とする、ハンドシェイクプロトコルを使用して説明される。ハンドシェイクプロトコルは、例として、認証を提供するためのシグナリングなどの、他のシグナリングを必要とし得ることが当業者によって理解されよう。
【００１９】
本明細書において「第1の」、「第2の」などの呼称を使用する、要素のいかなる参照も、一般に、それらの要素の数量または順序を限定しない。むしろ、これらの指定は、2つ以上の要素、または要素のインスタンスを区別する都合のよい方法として本明細書において使用される。したがって、第1および第2の要素への参照は、2つの要素のみが採用され得ること、または第1の要素が第2の要素に先行しなければならないことを意味しない。
【００２０】
図1は、アクセスポイントおよびユーザ端末を有する多元接続多入力多出力(MIMO)システム100を示す図である。簡単にするために、図1には1つのアクセスポイント110のみが示されている。アクセスポイントは、一般に、ユーザ端末と通信する固定局であり、基地局と呼ばれること、または何らかの他の用語を使用して呼ばれることもある。ユーザ端末またはSTAは、固定式でも移動式でもよく、移動局もしくはワイヤレスデバイスと呼ばれること、または何らかの他の用語を使用して呼ばれることもある。アクセスポイント110は、ダウンリンクおよびアップリンク上で任意の所与の瞬間において1つまたは複数のユーザ端末(UT)120と通信し得る。ダウンリンク(すなわち、順方向リンク)はアクセスポイントからユーザ端末への通信リンクであり、アップリンク(すなわち、逆方向リンク)はユーザ端末からアクセスポイントへの通信リンクである。ユーザ端末は、別のユーザ端末とピアツーピアで通信することもある。システムコントローラ130は、アクセスポイントに結合し、アクセスポイントのために調整および制御を行う。
【００２１】
以下の開示の一部では、空間分割多元接続(SDMA)によって通信することが可能なユーザ端末120を説明するが、いくつかの態様では、ユーザ端末120は、SDMAをサポートしないいくつかのユーザ端末を含むこともある。したがって、そのような態様では、アクセスポイント110は、SDMAユーザ端末と非SDMAユーザ端末の両方と通信するように構成され得る。この手法は、より新しいSDMAユーザ端末が適宜導入されることを可能にしながら、SDMAをサポートしないより古いバージョンのユーザ端末(レガシー局)を企業において配備し続けることを都合よく可能にして、それらの耐用年数を延ばし得る。
【００２２】
システム100は、ダウンリンクおよびアップリンク上でのデータ送信のために複数の送信アンテナおよび複数の受信アンテナを使用する。アクセスポイント110は、Nap個のアンテナを備え、ダウンリンク送信では多入力(MI)を表し、アップリンク送信では多出力(MO)を表す。K個の選択されたユーザ端末120のセットは、ダウンリンク送信では多出力を集合的に表し、アップリンク送信では多入力を集合的に表す。純粋なSDMAでは、K個のユーザ端末のためのデータシンボルストリームが、何らかの手段によって、コード、周波数、または時間において多重化されない場合、Nap≦K≦1であることが望まれる。TDMA技法、CDMAを用いた様々なコードチャネル、OFDMを用いたサブバンドの独立セットなどを使用してデータシンボルストリームを多重化することができる場合、KはNapよりも大きくてよい。各々の選択されたユーザ端末は、ユーザ固有のデータをアクセスポイントに送信し、かつ/またはユーザ固有のデータをアクセスポイントから受信し得る。一般に、各々の選択されたユーザ端末は、1つまたは複数のアンテナ(すなわち、Nut≧1)を備え得る。K個の選択されたユーザ端末は、同じ数のアンテナを有することがあり、または、1つもしくは複数のアクセス端末は、異なる数のアンテナを有することがある。
【００２３】
MIMOシステム100は時分割複信(TDD)システムまたは周波数分割複信(FDD)システムであり得る。TDDシステムの場合、ダウンリンクとアップリンクは、同じ周波数帯域を共有する。FDDシステムの場合、ダウンリンクとアップリンクは異なる周波数帯域を使用する。MIMOシステム100はまた、送信のために単一のキャリアまたは複数のキャリアを利用することができる。各ユーザ端末は、(たとえば、コストを抑えるために)単一のアンテナを備えることがあり、あるいは(たとえば、追加コストをサポートすることができる場合に)複数のアンテナを備えることがある。システム100はまた、複数のユーザ端末120が送信/受信を異なるタイムスロットに分割することによって同じ周波数チャネルを共有する場合、TDMAシステムであることがあり、各タイムスロットは、異なるユーザ端末120に割り当てられ得る。
【００２４】
ユーザ端末120の各々は、UT BA構成要素192を含み得る。たとえば、ユーザ端末120aのUT BA構成要素192は受信機とともに、複数のDL通信チャネルのうちの第1のDL通信チャネル上で、複数のDL通信チャネル上のユーザ端末120のうちの2つ以上へアクセスポイント110から送信されるDL MU PPDUを受信し得る。DL MU PPDUは複数のMPDUを含む。UT BA構成要素192は送信機とともに、複数のUL通信チャネルのうちの第1のUL通信チャネル上で、複数のUL通信チャネルのうちの第2のUL通信チャネル上での別のユーザ端末120からアクセスポイント110への第2のBAの送信と同時期に、第1のBAをアクセスポイント110へ送信し得る。第1のBAは、複数のMPDUのうちの1つまたは複数に肯定応答する。いくつかの構成では、UT BA構成要素192は、ULチャネル指示とBA指示とを取得する。第1のBAの送信は、ULチャネル指示およびBA指示に基づく。
【００２５】
アクセスポイント110は、AP BA構成要素182を含み得る。たとえば、AP BA構成要素182は送信機とともに、複数のDL通信チャネル上で、DL MU PPDUをユーザ端末120のうちの2つ以上へ送信し得る。DL MU PPDUは複数のMPDUを含む。AP BA構成要素182は受信機とともに、複数のUL通信チャネルのうちの第1のUL通信チャネル上で、複数のUL通信チャネルのうちの第2のUL通信チャネル上での第2のユーザ端末120からの第2のBAと同時期に、第1のユーザ端末120から第1のBAを受信し得る。第1および第2のBAは各々、複数のMPDUのうちの1つまたは複数に肯定応答する。いくつかの構成では、AP BA構成要素182は、ULチャネル指示およびBA指示を第1および第2のユーザ端末120に送信する。第1および第2のBAの送信は、ULチャネル指示およびBA指示に基づく。
【００２６】
図2は、MIMOシステム100におけるアクセスポイント110ならびに2つのユーザ端末120mおよび120xのブロック図を示す。アクセスポイント110は、Nt個のアンテナ224aから224apを備える。ユーザ端末120mは、Nut,m個のアンテナ252maから252muを備え、ユーザ端末120xは、Nut,x個のアンテナ252xaから252xuを備える。アクセスポイント110は、ダウンリンクでは送信エンティティであり、アップリンクでは受信エンティティである。ユーザ端末120は、アップリンクでは送信エンティティであり、ダウンリンクでは受信エンティティである。本明細書では、送信エンティティは、ワイヤレスチャネルを介してデータを送信することが可能な独立して動作する装置またはデバイスであり、受信エンティティは、ワイヤレスチャネルを介してデータを受信することが可能な独立して動作する装置またはデバイスである。以下の説明では、下付き文字「dn」はダウンリンクを示し、下付き文字「up」はアップリンクを示し、Nup個のユーザ端末がアップリンク上での同時送信のために選択され、Ndn個のユーザ端末がダウンリンク上での同時送信のために選択される。NupはNdnに等しいことも等しくないこともあり、NupおよびNdnは、静的な値であることがあり、または各スケジューリング間隔の間に変化することがある。ビームステアリングまたは何らかの他の空間処理技法が、アクセスポイント110および/またはユーザ端末120において使用され得る。
【００２７】
アップリンク上では、アップリンク送信のために選択された各ユーザ端末120において、TXデータプロセッサ288が、データソース286からトラフィックデータを受信し、コントローラ280から制御データを受信する。TXデータプロセッサ288は、ユーザ端末のための選択されたレートと関連付けられるコーディングおよび変調方式に基づいて、ユーザ端末のためのトラフィックデータを処理し(たとえば、符号化し、インターリーブし、変調し)、データシンボルストリームを提供する。TX空間プロセッサ290は、データシンボルストリームに対して空間処理を実行し、Nut,m個のアンテナに対するNut,m個の送信シンボルストリームを提供する。各送信機ユニット(TMTR)254は、アップリンク信号を生成するために、それぞれの送信シンボルストリームを受信し、処理する(たとえば、アナログ変換し、増幅し、フィルタリングし、周波数アップコンバートする)。Nut,m個の送信機ユニット254は、たとえば、アクセスポイント110に送信するために、Nut,m個のアンテナ252からの送信のためにNut,m個のアップリンク信号を提供する。
【００２８】
Nup個のユーザ端末が、アップリンク上での同時送信をスケジューリングされ得る。これらのユーザ端末の各々は、そのそれぞれのデータシンボルストリームに対して空間処理を実行し、アップリンク上の送信シンボルストリームのそれぞれのセットをアクセスポイント110に送信し得る。
【００２９】
アクセスポイント110において、Nup個のアンテナ224a〜224apは、アップリンク上で送信するすべてのNup個のユーザ端末からのアップリンク信号を受信する。各アンテナ224は、受信された信号をそれぞれの受信機ユニット(RCVR)222に提供する。各受信機ユニット222は、送信機ユニット254によって実行された処理と相補的な処理を実行し、受信されたシンボルストリームを提供する。RX空間プロセッサ240は、Nup個の受信機ユニット222からのNup個の受信されたシンボルストリームに対して受信機空間処理を実行し、Nup個の復元されたアップリンクデータシンボルストリームを提供する。受信機空間処理は、チャネル相関行列反転(CCMI)、最小平均2乗誤差(MMSE)、ソフト干渉消去(SIC)、または何らかの他の技法に従って実行され得る。各々の復元されたアップリンクデータシンボルストリームは、それぞれのユーザ端末によって送信されたデータシンボルストリームの推定値である。RXデータプロセッサ242は、そのストリームのために使用されたレートに従って復元された各々の復元されたアップリンクデータシンボルストリームを処理(たとえば、復調、デインターリーブ、および復号)して、復号されたデータを得る。ユーザ端末ごとの復号されたデータは、記憶のためにデータシンク244に与えられ、かつ/または、さらなる処理のためにコントローラ230に与えられ得る。
【００３０】
ダウンリンク上で、アクセスポイント110において、TXデータプロセッサ210が、ダウンリンク送信のためにスケジューリングされたNdn個のユーザ端末のためのデータソース208からトラフィックデータを受信し、コントローラ230から制御データを受信し、場合によってはスケジューラ234から他のデータを受信する。様々なタイプのデータが、異なるトランスポートチャネル上で送信され得る。TXデータプロセッサ210は、各ユーザ端末のために選択されたレートに基づいて、そのユーザ端末のトラフィックデータを処理する(たとえば、符号化し、インターリーブし、変調する)。TXデータプロセッサ210は、Ndn個のユーザ端末のためのNdn個のダウンリンクデータシンボルストリームを提供する。TX空間プロセッサ220は、Ndn個のダウンリンクデータシンボルストリームに対して空間処理(プリコーディングまたはビームフォーミングなど)を実行し、Nup個のアンテナに対するNup個の送信シンボルストリームを与える。各送信機ユニット222は、それぞれの送信シンボルストリームを受信し処理して、ダウンリンク信号を生成する。Nup個の送信機ユニット222は、たとえば、ユーザ端末120に送信するために、Nup個のアンテナ224からの送信のためにNup個のダウンリンク信号を与えることができる。
【００３１】
各ユーザ端末120において、Nut,m個のアンテナ252は、アクセスポイント110からNup個のダウンリンク信号を受信する。各受信機ユニット254は、関連するアンテナ252からの受信された信号を処理し、受信されたシンボルストリームを提供する。RX空間プロセッサ260は、Nut,m個の受信機ユニット254からのNut,m個の受信されたシンボルストリームに対して受信機空間処理を実行し、ユーザ端末120のための復元されたダウンリンクデータシンボルストリームを与える。受信機空間処理は、CCMI、MMSE、または何らかの他の技法に従って実行され得る。RXデータプロセッサ270は、復元されたダウンリンクデータシンボルストリームを処理し(たとえば、復調し、デインターリーブし、復号し)、ユーザ端末のための復号されたデータを取得する。
【００３２】
各ユーザ端末120において、チャネル推定器278は、ダウンリンクチャネル応答を推定し、チャネル利得推定値、SNR推定値、ノイズ分散などを含み得るダウンリンクチャネル推定値を提供する。同様に、チャネル推定器228は、アップリンクチャネル応答を推定し、アップリンクチャネル推定値を提供する。各ユーザ端末のためのコントローラ280は通常、ユーザ端末のための空間フィルタ行列を、そのユーザ端末のためのダウンリンクチャネル応答行列Hdn,mに基づいて導出する。コントローラ230は、アクセスポイントのための空間フィルタ行列を、実効アップリンクチャネル応答行列Hup,effに基づいて導出する。各ユーザ端末のためのコントローラ280は、フィードバック情報(たとえば、ダウンリンクおよび/またはアップリンク固有ベクトル、固有値、SNR推定値など)をアクセスポイント110に送信し得る。コントローラ230および280はまた、それぞれ、アクセスポイント110およびユーザ端末120における様々な処理ユニットの動作を制御し得る。
【００３３】
図3は、MIMOシステム100内で用いられ得るワイヤレスデバイス302において利用され得る様々な構成要素を示す。ワイヤレスデバイス302は、本明細書において説明される様々な方法を実施するように構成され得るデバイスの例である。ワイヤレスデバイス302は、アクセスポイント110またはユーザ端末120を実装し得る。
【００３４】
ワイヤレスデバイス302は、ワイヤレスデバイス302の動作を制御するプロセッサ304を含み得る。プロセッサ304は、中央処理ユニット(CPU)と呼ばれることもある。メモリ306は、読取り専用メモリ(ROM)とランダムアクセスメモリ(RAM)の両方を含むことがあり、命令およびデータをプロセッサ304に提供する。メモリ306の一部は、不揮発性ランダムアクセスメモリ(NVRAM)も含み得る。プロセッサ304は、メモリ306内に記憶されたプログラム命令に基づいて論理演算および算術演算を実行し得る。メモリ306の中の命令は、本明細書において説明される方法を実施するために実行可能であり得る。
【００３５】
プロセッサ304は、1つまたは複数のプロセッサを用いて実装された処理システムを備えることがあり、またはその構成要素であることがある。1つまたは複数のプロセッサは、汎用マイクロプロセッサ、マイクロコントローラ、デジタル信号プロセッサ(DSP)、フィールドプログラマブルゲートアレイ(FPGA)、プログラマブルロジックデバイス(PLD)、コントローラ、状態機械、ゲートロジック、ディスクリートハードウェア構成要素、専用ハードウェア有限状態機械、または、計算もしくは他の情報の操作を実行することができる任意の他の適切なエンティティの任意の組合せで実装され得る。
【００３６】
処理システムはまた、ソフトウェアを記憶するための機械可読媒体を含み得る。ソフトウェアは、ソフトウェアと呼ばれるか、ファームウェアと呼ばれるか、ミドルウェアと呼ばれるか、マイクロコードと呼ばれるか、ハードウェア記述言語と呼ばれるか、または別様に呼ばれるかにかかわらず、任意のタイプの命令を意味するものと広く解釈されなければならない。命令は、(たとえば、ソースコード形式、バイナリコード形式、実行可能コード形式、または任意の他の適切なコード形式の)コードを含み得る。命令は、1つまたは複数のプロセッサによって実行されると、本明細書において説明される様々な機能を処理システムに実行させる。
【００３７】
ワイヤレスデバイス302はまた、ハウジング308を含むことがあり、ワイヤレスデバイス302は、ワイヤレスデバイス302と遠隔の位置との間でのデータの送信および受信を可能にするために送信機310および受信機312を含むことがある。送信機310および受信機312は、トランシーバ314へと組み合わされ得る。単一のまたは複数のトランシーバアンテナ316が、ハウジング308に取り付けられることがあり、トランシーバ314に電気的に結合されることがある。ワイヤレスデバイス302は、複数の送信機、複数の受信機、および複数のトランシーバも含み得る。
【００３８】
ワイヤレスデバイス302はまた、トランシーバ314によって受信された信号のレベルを検出し定量化しようとする際に使用され得る信号検出器318を含み得る。信号検出器318は、総エネルギー、シンボルごとのサブキャリア当たりのエネルギー、電力スペクトル密度、および他の信号などの信号を検出し得る。ワイヤレスデバイス302は、信号を処理する際に使用するためのDSP320も含み得る。
【００３９】
一態様では、ワイヤレスデバイス302は、ユーザ端末であることがあり、BA構成要素372(たとえば、UT BA構成要素192)を含むことがある。たとえば、ユーザ端末のBA構成要素372は、複数のDL通信チャネルのうちの第1のDL通信チャネル上で、複数のDL通信チャネル上のユーザ端末のうちの2つ以上へアクセスポイントから送信されるDL MU PPDUを受信し得る。DL MU PPDUは複数のMPDUを含む。BA構成要素372は、複数のUL通信チャネルのうちの第1のUL通信チャネル上で、複数のUL通信チャネルのうちの第2のUL通信チャネル上での別のユーザ端末からアクセスポイントへの第2のBAの送信と同時期に、第1のBAをアクセスポイントへ送信し得る。第1のBAは、複数のMPDUのうちの1つまたは複数に肯定応答する。いくつかの構成では、BA構成要素372は、ULチャネル指示とBA指示とを取得する。第1のBAの送信は、ULチャネル指示およびBA指示に基づく。
【００４０】
別の態様では、ワイヤレスデバイス302は、アクセスポイントであることがあり、BA構成要素372(たとえば、AP BA構成要素182)を含むことがある。たとえば、BA構成要素372は、複数のDL通信チャネル上で、DL MU PPDUをユーザ端末のうちの2つ以上へ送信し得る。DL MU PPDUは複数のMPDUを含む。AP BA構成要素372は、複数のUL通信チャネルのうちの第1のUL通信チャネル上で、複数のUL通信チャネルのうちの第2のUL通信チャネル上での第2のユーザ端末からの第2のBAと同時期に、第1のユーザ端末から第1のBAを受信し得る。第1および第2のBAは各々、複数のMPDUのうちの1つまたは複数に肯定応答する。いくつかの構成では、BA構成要素372は、ULチャネル指示およびBA指示を第1および第2のユーザ端末に送信する。第1および第2のBAの送信は、ULチャネル指示およびBA指示に基づく。
【００４１】
ワイヤレスデバイス302の様々な構成要素は、バスシステム322によって互いに結合されることがあり、バスシステムは、データバスに加えて、電力バス、制御信号バス、およびステータス信号バスを含むことがある。
【００４２】
本開示のいくつかの態様は、複数のUTからAPにUL信号を送信することをサポートする。いくつかの実施形態では、UL信号は、MU-MIMOシステムにおいて送信され得る。代替的には、UL信号は、マルチユーザFDMA(MU-FDMA)または同様のFDMAシステムにおいて送信され得る。これらの実施形態では、UL-MU-MIMOまたはUL-FDMA送信は、複数のSTAからAPに同時にまたは同時期に送信されることが可能であり、ワイヤレス通信における効率を上げることができる。
【００４３】
図4は、ある機構においてDL/UL MU-MIMOシステムの中でBAフレームを送信する動作を示す図400である。アクセスポイント110は、同時にまたは同時期に、PPDUを任意の適切な数のユーザ端末に送信し得る。この例では、明確さおよび簡潔さのために、図4は、アクセスポイント110が複数の空間ストリーム/(O)FDMAチャネル(たとえば、OFDMAまたはFDMA)を通じてDL MU PPDU412をユーザ端末120a、120b、120cに送信することのみを示す。DL MU PPDU412は、集約されたMPDU(A-MPDU)413-a、413-b、413-cを含む。アクセスポイント110は、空間ストリーム/(O)FDMAチャネルA、B、およびC上でA-MPDU413-a、413-b、413-cを送信することができ、それぞれ、ユーザ端末120a、120b、120cによって受信されることが可能である。A-MPDU413-a、413-b、413-cの各々が、1つまたは複数のMPDUを含み得る。
【００４４】
さらに、アクセスポイント110は、トリガメッセージ(TM)/BAR PPDU414をユーザ端末120a、120b、120cに送信する。TM/BAR PPDU414は、トリガメッセージおよびBARメッセージを含み得る。トリガメッセージは、UL PPDUをアクセスポイント110に送信するのに使用すべき空間ストリーム/(O)FDMAチャネル、時間長、および電力を、ユーザ端末120a、120b、120cの各々に知らせるULパラメータを含み得る。BARメッセージは、ユーザ端末において受信されたMPDUに肯定応答するためにBAをアクセスポイント110へ送信するように、ユーザ端末120a、120b、120cの各々に要求し得る。続いて、ユーザ端末120a、120b、120cは各々、アクセスポイント110によって割り振られトリガメッセージを介してユーザ端末に提供される複数の空間ストリーム/(O)FDMAチャネルのそれぞれ1つを通じて、BAフレーム416-a、416-b、416-cのそれぞれ1つをアクセスポイント110へ同時にまたは同時期に送信し得る。本開示のいくつかの態様では、同時のまたは同時期の送信とは、ユーザ端末が同じ時にまたはほぼ同じ時にBAを送信し始めることを意味する。各ユーザ端末におけるBAの送信は、同じ時点で止まることも止まらないこともある。いくつかの他の態様では、同時のまたは同時期の送信とは、あるユーザ端末からのBAの送信が別のユーザ端末からのBAの送信と時間的に重複することを意味する。
【００４５】
この例では、A-MPDU413-a、413-b、413-cの各MPDUは、肯定応答(ACK)ポリシーセットを「Block Ack」として有することがあり、これは、受信側のユーザ端末がBAを用いて応答する前にBARを待機すべきであることを示す。言い換えると、MPDUのいずれもが「Immediate Block Ack」(たとえば、「Normal Ack」または「Implicit Block Ack Request」)として設定されたACKポリシーを有さず、このACKポリシーは、受信側のユーザ端末がMPDUを受信すると直ちに(たとえば、MPDUを受信してから短フレーム間空間(SIFS:short interframe space)後に)BAを送信し得ることを示す。
【００４６】
第1の技法では、TM/BAR PPDU414はDL PPDU420によって実装されることがあり、これは、無指向性でありアクセスポイント110のBSS中のすべてのユーザ端末に向けられ得る。DL PPDU420は、プリアンブル422およびデータ部分426を含み得る。プリアンブル422は、トリガメッセージ424を含み得る。データ部分426は、BARフレーム428(たとえば、BARメッセージ)を含むことがあり、これはA-MPDUの中にある。したがって、ユーザ端末120a、120b、120cの各々は、DL PPDU420を受信すると、プリアンブル422を復調することによってトリガメッセージ424を取得し、データ部分426を復調することによってBARフレーム428を取得することができる。
【００４７】
第2の技法では、TM/BAR PPDU414はDL PPDU430によって実装されることがあり、これは、無指向性でありアクセスポイント110のBSS中のすべてのユーザ端末に向けられ得る。DL PPDU430は、プリアンブル432およびデータ部分436を含み得る。データ部分436は、制御ラッパーフレーム437を含むことがあり、これはA-MPDUの中にある。制御ラッパーフレーム437は、BARフレーム438を包み、または格納し得る。すなわち、制御ラッパーフレーム437は、搬送されるフレームフィールドにおいてBARフレーム438(たとえば、BARメッセージ)を搬送し得る。さらに、制御ラッパーフレーム437の1つのフィールドは、トリガメッセージ434を搬送し得る。したがって、ユーザ端末120a、120b、120cの各々は、DL PPDU430を受信すると、データ部分436を復調することによって制御ラッパーフレーム437を取得することができる。ユーザ端末120a、120b、または120cは、制御ラッパーフレーム437からトリガメッセージ434およびBARフレーム438を取得し得る。
【００４８】
第3の技法では、TM/BAR PPDU414はDL PPDU440によって実装されることがあり、これは、無指向性でありアクセスポイント110のBSS中のすべてのユーザ端末に向けられ得る。DL PPDU440は、プリアンブル442およびデータ部分446を含む。データ部分446はA-MPDU447を含む。A-MPDU447は、トリガフレーム444(たとえば、トリガメッセージ)およびBARフレーム448(たとえば、BARメッセージ)を含む。したがって、ユーザ端末120a、120b、120cの各々は、DL PPDU440を受信すると、データ部分436を復調することによってトリガフレーム444およびBARフレーム448を取得することができる。
【００４９】
第4の技法では、TM/BAR PPDU414はDL PPDU450によって実装されることがあり、これは、無指向性でありアクセスポイント110のBSS中のすべてのユーザ端末に向けられ得る。DL PPDU450は、プリアンブル452およびデータ部分456を含む。データ部分456は、組み合わされたトリガ/BARフレーム458を含み、これはA-MPDUの中にある。組み合わされたトリガ/BARフレーム458は、トリガメッセージおよびBARメッセージを含む。したがって、ユーザ端末120a、120b、120cの各々は、DL PPDU450を受信すると、データ部分436を復調することによって組み合わされたトリガ/BARフレーム458を取得することができる。ユーザ端末120a、120b、または120cは次いで、組み合わされたトリガ/BARフレーム458からトリガメッセージおよびBARメッセージを取得する。
【００５０】
上で説明された技法を使用して、ユーザ端末120a、120b、120cの各々は、TM/BAR PPDU414のトリガメッセージを取得し、UL PPDUをアクセスポイント110に送信するためのトリガメッセージ中のパラメータセットに基づいて、空間ストリーム/(O)FDMAチャネルを選択し得る。BARメッセージを検出すると、ユーザ端末120a、120b、または120cは、選択された空間ストリーム/(O)FDMAチャネル上で、TM/BAR PPDU414の終点から期間T415後の時点で、BAフレーム416-a、416-b、416-cのそれぞれ1つをアクセスポイント110に送信し得る。期間T415は、アクセスポイント110によってトリガメッセージにおいて示され得る。代替的に、期間T415は、たとえばある規格に従って、ユーザ端末120a、120b、120cの各々において事前に構成され得る。いくつかの構成では、期間T415はSIFSであり得る。
【００５１】
さらに、いくつかの構成では、ユーザ端末120a、120b、および/または120cの各々は、UL応答の最初にユーザ端末がBAフレームを含めるという規則を用いて構成され得る。ユーザ端末120a、120b、または120cは、BAフレームが含められた後で他のULデータを送信し得る。加えて、アクセスポイント110は、TM/BAR PPDU414を複数回送信して、すべてのユーザ端末120a、120b、120cからBAフレームを収集し得る。
【００５２】
図5は、別の機構においてDL/UL MU-MIMOシステムの中でBAフレームを送信する動作を示す図500である。この例では、アクセスポイント110は、複数の空間ストリーム/(O)FDMAチャネルを通じてDL MU PPDU512をユーザ端末120a、120b、120cに送信し得る。DL MU PPDU512は、A-MPDU513-a、513-b、513-cを含み得る。アクセスポイント110は、空間ストリーム/(O)FDMAチャネルA、B、およびC上でA-MPDU513-a、513-b、513-cを送信することができ、それらはそれぞれ、ユーザ端末120a、120b、120cによって受信される。A-MPDU513-a、513-b、513-cの各々が、1つまたは複数のMPDUを含み得る。
【００５３】
続いて、アクセスポイント110は、TM PPDU514をユーザ端末120a、120b、120cに送信する。TM PPDU514はトリガメッセージを含むことがあり、これはトリガフレーム540において搬送され得る。トリガメッセージは、UL PPDUをアクセスポイント110に送信するのに使用すべき空間ストリーム/(O)FDMAチャネル、時間長、および電力を、ユーザ端末120a、120b、120cの各々に知らせるパラメータを含み得る。続いて、ユーザ端末120a、120b、120cは各々、アクセスポイント110によって割り振られトリガメッセージを介してユーザ端末に示され得る複数の空間ストリーム/(O)FDMAチャネルのそれぞれ1つを通じて、BAフレーム516-a、516-b、516-cのそれぞれ1つをアクセスポイント110へ同時にまたは同時期に送信し得る。
【００５４】
MACフレーム520は、A-MPDU513-a、513-b、513-cに含まれ得る例示的なMPDUである。MACフレーム520はフレームヘッダ522およびフレーム本体532を有する。フレームヘッダ522は、とりわけ、サービス品質(QoS)フィールド524を含み得る。QoSフィールド524は、とりわけ、ACKポリシーサブフィールド526を含む。フレーム本体532はフレームデータ536を含む。
【００５５】
ACKポリシーサブフィールド526中のACKポリシーは、「Block Ack Upon Next Trigger」に設定されることがあり、これは、受信側のユーザ端末がBAを用いて応答する前にBAトリガを待機すべきであることを示す。ユーザ端末120a、120b、または120cは、「Immediate Block Ack」(たとえば、「Normal Ack」または「Implicit Block Ack Request」)として設定されたACKポリシーを受信したことに応答するのと同様に、「Block Ack Upon Next Trigger」として設定されたACKポリシーを受信したことに応答して、BAを準備するように構成され得る。しかしながら、ユーザ端末120a、120b、または120cは、BAトリガを受信するとBAだけを送信し得る。
【００５６】
DL MU PPDU512を送信した後で、アクセスポイント110は、TM PPDU514をユーザ端末120a、120b、120cに送信し得る。いくつかの構成では、アクセスポイント110は、DL MU PPDU512の終点から期間Ta552(たとえば、SIFS)後にTM PPDU514を送信するように構成される。TM PPDU514はトリガフレーム540を含むことがあり、これはトリガメッセージおよびBAトリガを搬送する。BAトリガは、トリガフレーム540のフィールドにおいて事前に構成された値として設定され得る。BAトリガは、「Block Ack Upon Next Trigger」ACKポリシーを有するMPDUに対して、ユーザ端末において受信されたMPDUに肯定応答するためにBAフレームをアクセスポイント110へ送信するように、ユーザ端末120a、120b、120cの各々にシグナリングする。
【００５７】
ユーザ端末120a、120b、120cは各々、トリガメッセージを介してアクセスポイント110によって割り振られる、複数の空間ストリーム/(O)FDMAチャネルのそれぞれ1つを通じて、TM PPDU514の終点から期間Tb554後に、BAフレーム516-a、516-b、516-cのそれぞれをアクセスポイント110へ同時にまたは同時期に送信し得る。ユーザ端末120a、120b、または120cは、「Block Ack Upon Next Trigger」ACKポリシーに従って期間Tb554の値を用いて事前に構成され得る。たとえば、期間Tb554はSIFSであり得る。
【００５８】
さらに、いくつかの構成では、ユーザ端末120a、120b、120cの各々は、UL応答の最初にユーザ端末がBAフレームを含めるという規則を用いて構成され得る。ユーザ端末120a、120b、または120cは、BAフレームが含められた後で他のULデータを送信し得る。
【００５９】
図6は、さらに別の機構においてDL/UL MU-MIMOシステムの中でBAフレームを送信する動作を示す図600である。この例では、アクセスポイント110は、複数の空間ストリーム/(O)FDMAチャネルを通じてDL MU PPDU612をユーザ端末120a、120b、120cに送信する。DL MU PPDU612は、プリアンブル622およびデータ部分624を含む。データ部分624は、A-MPDU613-a、613-b、613-cを含む。アクセスポイント110は、空間ストリーム/(O)FDMAチャネルA、B、およびC上でそれぞれ、A-MPDU613-a、613-b、613-cを送信することができる。A-MPDU613-a、613-b、613-cの各々が、1つまたは複数のMPDUを含む。さらに、DL MU PPDU612はトリガメッセージを含み得る。トリガメッセージは、UL PPDUをアクセスポイント110に送信するのに使用すべき空間ストリーム/(O)FDMAチャネル、時間長、および電力を、ユーザ端末120a、120b、120cの各々に知らせるULチャネル割振りパラメータを含み得る。続いて、ユーザ端末120a、120b、120cは各々、アクセスポイント110によって割り振られトリガメッセージを介してユーザ端末に知らされ得る複数の空間ストリーム/(O)FDMAチャネルのそれぞれを通じて、BAフレーム616-a、616-b、616-cのそれぞれをアクセスポイント110へ同時にまたは同時期に送信し得る。
【００６０】
第1の技法では、トリガメッセージはプリアンブル622に含まれ得る。いくつかの構成では、プリアンブル622は、HE-SIG A 632などの無指向性フィールドを含み得る。プリアンブル622はまた、HE-SIG B 636-a、636-b、636-cなどの指向性フィールドを含み得る。それぞれのトリガメッセージが、それぞれの空間ストリーム/(O)FDMAチャネルを受信する対応するユーザ端末のためのHE-SIG B 636-a、636-b、636-cの各々に含まれ得る。たとえば、HE-SIG B 636-aに含まれるトリガメッセージは、空間ストリーム/(O)FDMAチャネルを受信するユーザ端末(たとえば、ユーザ端末120a)に向けられることがあり、UL PPDUを送信するのに空間ストリーム/(O)FDMAチャネルを選択するための、そのユーザ端末のためのパラメータを含むことがある。
【００６１】
第2の技法では、トリガフレームは、A-MPDU613-a、613-b、613-cの各々に含まれ得る。A-MPDU660は、A-MPDU613-a、613-b、613-cのうちの任意の1つであり得る例示的なA-MPDUである。A-MPDU660は、複数のMPDU664およびトリガフレーム668を含む。トリガフレーム668はトリガメッセージを含む。すべてのMPDU664が、A-MPDU660を搬送する空間ストリーム/(O)FDMAチャネルを受信する対応するユーザ端末に宛てられる。いくつかの構成では、トリガフレーム668は、受信側のユーザ端末のMACアドレスを含まない。トリガフレーム668は、MPDU664と同じMACアドレスを有すると示唆される。すなわち、ユーザ端末は、トリガフレーム668のRAが設定されないときでも、トリガフレーム668の受信アドレス(RA)がMPDU664のMACアドレスであると決定することができる。
【００６２】
さらに、A-MPDU613-a、613-b、613-cのすべてのMPDUのACKポリシーが「Modified Immediate Block Ack Version 1」に設定されることがあり、これは、DL MU PPDU612の終点から期間T615(たとえば、SIFS)後の時点において受信側のユーザ端末がBAを送信すべきであることを示す。代替的に、A-MPDU613-a、613-b、613-cのすべてのMPDUのACKポリシーが「Modified Immediate Block Ack Version 2」に設定されることがあり、これは、DL MU PPDU612において設定されるトリガメッセージを検出すると、DL MU PPDU612の終点から期間T615(たとえば、SIFS)後の時点において受信側のユーザ端末がBAを送信すべきであることを示す。
【００６３】
前に論じられたように、アクセスポイント110は、DL MU PPDU612をユーザ端末120a、120b、120cに送信し得る。DL MU PPDU612は、上で説明された技法を利用して構築され得る。続いて、ユーザ端末120a、120b、120cは各々、アクセスポイント110によって割り振られトリガメッセージを介してユーザ端末に知らされ得る複数の空間ストリーム/(O)FDMAチャネルのそれぞれを通じて、DL MU PPDU612の終点から期間T615後の時点で、BAフレーム616-a、616-b、616-cのそれぞれをアクセスポイント110へ同時にまたは同時期に送信し得る。加えて、ユーザ端末120a、120b、または120cは、「Modified Immediate Block Ack Version 1」または「Modified Immediate Block Ack Version 2」ACKポリシーに従って、期間T615を用いて事前に構成され得る。たとえば、期間T615はSIFSであり得る。
【００６４】
さらに、いくつかの構成では、ユーザ端末120a、120b、120cの各々は、UL応答の最初にユーザ端末がBAフレームを含めるという規則を用いて構成され得る。ユーザ端末120a、120b、または120cは、BAフレームが含められた後で他のULデータを送信し得る。
【００６５】
図7は、別の機構においてDL/UL MU-MIMOシステムの中でBAフレームを送信する動作を示す図700である。この例では、アクセスポイント110は、複数の空間ストリーム/(O)FDMAチャネルを通じてDL MU PPDU712をユーザ端末120a、120b、120cに送信する。DL MU PPDU712は、プリアンブル722およびデータ部分724を含む。データ部分724は、A-MPDU713-a、713-b、713-cを含む。アクセスポイント110は、空間ストリーム/(O)FDMAチャネルA、B、およびC上でA-MPDU713-a、713-b、713-cを送信することができ、それらはそれぞれ、ユーザ端末120a、120b、120cによって受信される。プリアンブル722は、空間ストリーム/(O)FDMAチャネルA、B、およびCの構成を示すDLリソース割振りパラメータを含む。A-MPDU713-a、713-b、713-cの各々が、1つまたは複数のMPDUを含む。上で説明された例とは対照的に、この例では、DL MU PPDU712はトリガメッセージを含まないことがある。
【００６６】
ユーザ端末120a、120b、120cの各々は、それぞれの空間ストリーム/(O)FDMAチャネル上でA-MPDUを受信すると、DL MU PPDU712の終点から期間T715後の時点で相互的なUL空間ストリーム/(O)FDMAチャネル上でBAをアクセスポイント110へ送信するように構成され得る。具体的には、相互的なUL空間ストリーム/(O)FDMAチャネルは、A-MPDUを搬送するDL空間ストリーム/(O)FDMAチャネルの逆方向であることがあり、それ以外は、DL空間ストリーム/(O)FDMAチャネルと同じ構成を有する。すなわち、相互的なUL空間ストリーム/(O)FDMAチャネルは、相互的なUL空間ストリーム/(O)FDMAチャネルが(APからSTAへのではなく)STAからAPへの送信のために確保されているということを除き、DL空間ストリーム/(O)FDMAチャネルと同じ周波数および他の構成を有し得る。さらに、相互的なUL空間ストリーム/(O)FDMAチャネルは、DL空間ストリーム/(O)FDMAチャネルとは異なる期間におけるリソースを含み得るが、他の構成は同じであり得る。たとえば、DL空間ストリーム/(O)FDMAチャネルは、APからSTAへのトラフィックのための、時間T1における第1の周波数の中のリソースを有し得る。相互的なUL空間ストリーム/(O)FDMAチャネルは、STAからAPへのトラフィックのための、同じ第1の周波数における、ただし時間T2におけるリソースを有し得る。いくつかの構成では、A-MPDU713-a、713-b、713-cのすべてのMPDUのACKポリシーが「Modified Immediate Block Ack Version 1」に設定されることがあり、これは、DL MU PPDU712の終点から期間T715(たとえば、SIFS)後の時点において受信側のユーザ端末がBAを送信すべきであることを示す。UL空間ストリーム/(O)FDMAチャネルは、それぞれのDL空間ストリーム/(O)FDMAチャネルのDLリソース割振りパラメータに基づいて決定され、DLリソース割振りパラメータはDL MU PPDU712のプリアンブル722から抽出される。したがって、ユーザ端末120a、120b、120cは各々、複数の相互的な空間ストリーム/(O)FDMAチャネルのそれぞれを通じて、BAフレーム716-a、716-b、716-cのそれぞれをアクセスポイント110へ同時にまたは同時期に送信し得る。
【００６７】
図8は、さらに別の機構においてDL/UL MU-MIMOシステムの中でBAフレームを送信する動作を示す図800である。この例では、アクセスポイント110は、複数の(O)FDMAチャネルを通じてDL MU PPDU812をユーザ端末120a、120b、120cに送信する。DL MU PPDU812は、プリアンブル822およびデータ部分824を含む。データ部分824は、A-MPDU813-a、813-b、813-cを含む。A-MPDU813-a、813-b、813-cの各々は、1つまたは複数のMPDUを含む。アクセスポイント110は、(O)FDMAチャネルA、B、およびC上でA-MPDU813-a、813-b、813-cを送信することができ、それらはそれぞれ、ユーザ端末120a、120b、120cによって受信される。
【００６８】
第1の技法では、プリアンブル822は、ユーザ端末120a、120b、120cがBAを送信するためのUL (O)FDMAチャネルの構成を示すULリソース割振りパラメータを含む。具体的には、UL (O)FDMAチャネルの各々の帯域幅は同じであり得る。ULリソース割振りパラメータは、各チャネルの帯域幅と、ユーザ端末120a、120b、120cの各々に割り当てられるULチャネルインデックスとを示し得る。上で説明された例とは対照的に、この例では、DL MU PPDU812はトリガメッセージを含まないことがある。
【００６９】
第1の技法では、ユーザ端末120a、120b、120cの各々は、それぞれの(O)FDMAチャネル上でA-MPDUを受信すると、DL MU PPDU812の終点から期間T815後の時点で選択されたUL (O)FDMAチャネル上でBAをアクセスポイント110へ送信するように構成され得る。いくつかの構成では、A-MPDU813-a、813-b、813-cのすべてのMPDUのACKポリシーが「Send BA in UL MU PPDU」に設定されることがあり、これは、DL MU PPDU812の終点から期間T815(たとえば、SIFS)後の時点において受信側のユーザ端末がBAを送信すべきであることを示す。ユーザ端末120a、120b、または120cによって使用されるべきUL (O)FDMAチャネルの帯域幅およびインデックスは、ULリソース割振りパラメータから取得される。
【００７０】
第2の技法では、プリアンブル822は、ユーザ端末120a、120b、120cがBAを送信するためのUL (O)FDMAチャネルの構成を示すULリソース割振りパラメータを含まない。しかしながら、ユーザ端末120a、120b、120cの各々は、BAを送信するためのUL (O)FDMAチャネルの共通の帯域幅の情報を用いて構成され得る。代わりに、または加えて、ユーザ端末120a、120b、120cの各々は、UL総帯域幅の情報およびUL (O)FDMAチャネルの数を用いて構成され得る。上で説明された例とは対照的に、この例では、DL MU PPDU812はトリガメッセージを含まないことがある。
【００７１】
第2の技法では、ユーザ端末120a、120b、120cの各々は、A-MPDU813-a、813-b、813-cのそれぞれが受信されるDL (O)FDMAチャネルのチャネルインデックスを決定し得る。ユーザ端末120a、120b、または120cは、同じチャネルインデックスを使用してBAを送信するためのUL (O)FDMAチャネルを選択し得る。ユーザ端末120a、120b、120cは各々、それぞれの(O)FDMAチャネル上でA-MPDUを受信すると、DL MU PPDU812の終点から期間T815後の時点で選択されたUL (O)FDMAチャネル上でBAをアクセスポイント110へ送信するように構成され得る。いくつかの構成では、A-MPDU813-a、813-b、813-cのすべてのMPDUのACKポリシーが「Send BA in UL MU PPDU」に設定されることがあり、これは、DL MU PPDU812の終点から期間T815(たとえば、SIFS)後の時点において受信側のユーザ端末がBAを送信すべきであることを示す。
【００７２】
したがって、ユーザ端末120a、120b、120cは各々、複数のUL (O)FDMAチャネルのそれぞれを通じて、BAフレーム816-a、816-b、816-cのそれぞれをアクセスポイント110へ同時にまたは同時期に送信し得る。
【００７３】
図9は、複数のUL通信チャネル上で同時にまたは同時期にBAを送信する方法(プロセス)のフローチャート900である。方法は、第1のユーザ端末(たとえば、ユーザ端末120、ワイヤレスデバイス302)によって実行され得る。
【００７４】
第1のユーザ端末は、動作913において、複数のDL通信チャネルのうちの第1のDL通信チャネル上で、複数のDL通信チャネル上の第1のユーザ端末を含む複数のユーザ端末へアクセスポイントから送信されるDL MU PPDUを受信し得る。DL MU PPDUは複数のMPDUを含み得る。たとえば、図1および図4を参照すると、ユーザ端末120aは、OFDMAチャネルA、B、CのうちのOFDMAチャネルA上で、アクセスポイント110によってユーザ端末120a、120b、120cへ送信されるDL MU PPDU412を受信し得る。DL MU PPDU412はいくつかのMPDUを含み得る。
【００７５】
動作916において、第1のユーザ端末は、ULチャネル指示とBA指示とを取得する。一例では、図1および図4を参照すると、ユーザ端末120aは、TM/BAR PPDU414を受信することによってULチャネル指示を取得することができ、TM/BAR PPDU414は、UL PPDUをアクセスポイント110に送信するために使用すべき空間ストリーム、(O)FDMAチャネル、時間長、および電力を示す、ULパラメータを含む。この例では、ユーザ端末120aは、A-MPDU413-a、413-b、413-cの各MPDUにおいてBA指示を受信し得る。BA指示は、各MPDUのためのACKポリシーを含み得る。図5に示されるように、MPDUはMACフレーム520として構成されることがあり、ACKポリシーはACKポリシーサブフィールド526に含まれることがある。ACKポリシーは、「Block Ack Upon Next Trigger」に設定されることがあり、これは、ユーザ端末120aがBAを用いて応答する前にBAトリガを待機すべきであることを示す。
【００７６】
別の例では、図1および図6を参照すると、ユーザ端末120aは、DL MU PPDU612を受信することによってULチャネル指示を取得し得る。DL MU PPDU612は、トリガメッセージをプリアンブル622の中に(たとえば、HE-SIGフィールドの中に)含み得る。ユーザ端末120aは、プリアンブルを復調してULチャネル指示を取得することができ、ULチャネル指示は、パラメータの中でもとりわけUL PPDUを送信するのに(O)FDMAチャネルを選択するための、ユーザ端末120aのためのパラメータを含み得る。この例では、A-MPDU613-a、613-b、613-cの各MPDUは、ACKポリシーを含むBA指示を含み得る。
【００７７】
いくつかの構成では、動作916内で、第1のユーザ端末は、動作923(または916-a)において、第1のDL通信チャネルのDLチャネル割振りパラメータに基づいて、第1のDL通信チャネルと相互的なUL通信チャネルを決定し得る。ULチャネル指示は、DLチャネル割振りパラメータに基づく。第1のUL通信チャネルはUL通信チャネルであり、これはDL通信チャネルと相互的である。複数のMPDUは各々、複数のUL通信チャネルのうちの1つの上で直ちにBAを送信するように受信側のユーザ端末に示すACKポリシーを含む。BA指示はACKポリシーを含む。第1のBAは、複数のMPDUにおいてACKポリシーを検出したことに応答して送信される。さらに、第1のユーザ端末は、DL MU PPDUから第1のDL通信チャネルのDLチャネル割振りパラメータを取得することによって、および、DLチャネル割振りパラメータに基づいてULチャネル割振りパラメータを決定することによって、UL通信チャネルを決定し得る。相互的なUL通信チャネルは、ULチャネル割振りパラメータに基づいて決定され得る。たとえば、図1および図7を参照すると、ユーザ端末120aは、DL MU PPDU712を受信し得る。DL MU PPDU712のプリアンブル722は、OFDMAチャネルAのための構成を含む、DLリソース割振りパラメータを含み得る。ユーザ端末120aは、期間T715がDL MU PPDU712の終点から経過した後で、UL通信チャネルがDL通信チャネルと相互的であると決定し得る。UL通信チャネルは、トラフィックが反対の方向に流れることを除き、DL通信チャネルと同じ構成を有し得る。
【００７８】
いくつかの構成では、動作916内で、第1のユーザ端末は、動作933(または916-b)において、DL MU PPDUから複数のUL通信チャネルのULチャネル割振りパラメータを取得し得る。ULチャネル割振りパラメータは、等しい帯域幅を複数のUL通信チャネルの各々に割り振り得る。ULチャネル指示は、ULチャネル割振りパラメータを含み得る。第1のUL通信チャネルは、ULチャネル割振りパラメータに基づいて決定される。複数のMPDUは各々、複数のUL通信チャネルのうちの1つの上で直ちにBAを送信するように受信側のユーザ端末に命令するACKポリシーを含む。BA指示はACKポリシーを含む。第1のBAは、ULチャネル割振りパラメータを取得したこと、および複数のMPDUにおいてACKポリシーを検出したことに応答して、送信される。たとえば、図8を参照すると、ユーザ端末120aは、DL MU PPDU812を受信し得る。DL MU PPDU812は、DL MU PPDU812のプリアンブル822に、またはDL MU PPDU812の別の部分に、ULリソース割振りパラメータ(またはULチャネル割振りパラメータ)を含み得る。
【００７９】
いくつかの構成では、動作916内で、第1のユーザ端末は、動作943(または916-c)において、DL MU PPDUからトリガメッセージを取得し得る。トリガメッセージは、DL MU PPDUのプリアンブルに、または、DL MU PPDUにおいて搬送される第1のユーザ端末に宛てられる集約MPDU(A-MPDU)に含まれる。トリガメッセージは、UL送信を開始するように第1のユーザ端末にシグナリングし、ULチャネル割振りパラメータを含む。第1のUL通信チャネルは、ULチャネル割振りパラメータに基づいて決定される。ULチャネル指示は、ULチャネル割振りパラメータを含む。複数のMPDUは各々、複数のUL通信チャネルのうちの1つの上で直ちにBAを送信するように受信側のユーザ端末に示すACKポリシーを含む。BA指示は、ACKポリシーを含み、トリガメッセージを含み得る。第1のBAは、トリガメッセージを取得したこと、および複数のMPDUにおいてACKポリシーを検出したことに応答して、送信される。たとえば、図1および図6を参照すると、ユーザ端末120aは、(たとえば、HE SIG A 636-a、636-b、636-cの中の)DL MU PPDU612のプリアンブルを復調することによって、トリガメッセージを取得し得る。代わりに、トリガメッセージは、A-MPDU613-a、613-b、613-cに含まれることがあり、ユーザ端末120aが、A-MPDU613-a、613-b、613-cを復調することがある。
【００８０】
動作919において、第1のユーザ端末は、複数のUL通信チャネルのうちの第1のUL通信チャネル上で、ULチャネル指示およびBA指示に基づいて第1のBAをアクセスポイントへ同時にまたは同時期に送信し、一方、複数のユーザ端末の残りは、複数のUL通信チャネルの残りでBAをアクセスポイントに送信している。第1のBAは、複数のMPDUのうちの1つまたは複数に肯定応答する。一例では、図1および図4を参照すると、ユーザ端末120aは、チャネルA、B、CのうちのチャネルA上で、ULチャネル指示およびBA指示に基づいてBAフレーム416-aをアクセスポイント110に送信し得る。BAフレーム416-aの送信は、ユーザ端末120b、120cからのそれぞれのBAフレーム416-b、416-cの送信と、同時または同時期であり得る。
【００８１】
別の例では、図1および図6を参照すると、ユーザ端末120aは、チャネルA、B、CのうちのチャネルA上で、ULチャネル指示およびBA指示に基づいてBAフレーム616-aをアクセスポイント110に送信し得る。BAフレーム616-aの送信は、ユーザ端末120b、120cからのそれぞれのBAフレーム616-b、616-cの送信と、同時または同時期であり得る。
【００８２】
いくつかの構成では、第1のユーザ端末は、第1のUL通信チャネル上で第1のBAを送信した後で、ULデータを送信するように構成される。いくつかの構成では、A-MPDUは、トリガメッセージを搬送するトリガフレームを含む。トリガフレームはRAを含まない。第1のユーザ端末は、A-MPDUの中の別のフレームのRAに基づいて、トリガフレームのRAを決定するように構成される。
【００８３】
図10は、複数のUL通信チャネル上で同時にまたは同時期にBAを送信する方法(プロセス)の別のフローチャート1000である。方法は、第1のユーザ端末(たとえば、ユーザ端末120、ワイヤレスデバイス302)によって実行され得る。
【００８４】
いくつかの構成では、第1のユーザ端末は、複数のUL通信チャネルのULチャネル割振りパラメータを用いて事前に構成される。ULチャネル割振りパラメータは、等しい帯域幅を複数のUL通信チャネルの各々に割り振る。図9に示される動作916内では、第1のユーザ端末は916-dの動作を実行し得る。第1のユーザ端末は、動作1013において、第1のDL通信チャネルのDLチャネルインデックスを決定し得る。ULチャネル指示は、DLチャネルインデックスを含む。たとえば、図8を参照すると、ユーザ端末120aは、DL MU PPDU812を受信することができ、これはプリアンブル822を含み得る。プリアンブル822はULリソース割振りパラメータを含むことがあり、これは第1のDL通信チャネルのDLチャネルインデックスを示し得る。ある態様では、DLチャネルインデックスは1(または何らかの他の数)であり得る。
【００８５】
続いて動作1016において、第1のユーザ端末は、DLチャネルインデックスに基づいて、第1のUL通信チャネルのULチャネルインデックスを決定し得る。第1のUL通信チャネルは、ULチャネル割振りパラメータおよびULチャネルインデックスに基づいて決定される。複数のMPDUは各々、複数のUL通信チャネルのうちの1つの上で直ちにBAを送信するように受信側のユーザ端末に示すACKポリシーを含む。BA指示はACKポリシーを含む。第1のBAは、複数のMPDUにおいてACKポリシーを検出したこと、およびULチャネルインデックスの決定に応答して、送信される。たとえば、図8を参照すると、ユーザ端末120aは、DLチャネルインデックスに基づいてULチャネルインデックスを決定し得る。ULチャネルインデックスは、DLチャネルインデックスと同じであることがあり、または、DLチャネルインデックスのオフセット(たとえば、事前に構成されたオフセット)(たとえば、DLチャネルインデックス+1)であることがある。ユーザ端末120aは、すべての利用可能なチャネルと、ULチャネルインデックスとを示す、事前に構成されたULチャネル割振りパラメータに基づいてULチャネル指示を取得することができ、ULチャネルインデックスは、利用可能なチャネルの中からあるUL通信チャネルを特定するために使用され得る。ある態様では、ULチャネル指示は、第1のUL通信チャネルを特定し得る。
【００８６】
いくつかの構成では、図9に示される動作916内で、第1のユーザ端末は916-eと関連付けられる動作を実行し得る。たとえば、動作1023において、第1のユーザ端末は、DL MU PPDUを受信したことに続いてアクセスポイントからトリガPPDUを受信し得る。たとえば、図1および図6を参照すると、ユーザ端末120aは、DL MU PPDU612(トリガPPDU)を受信し得る。
【００８７】
続いて動作1026において、第1のユーザ端末は、トリガPPDUからトリガメッセージを取得し得る。トリガメッセージは、UL送信を開始するように第1のユーザ端末にシグナリングし、ULチャネル割振りパラメータを含む。ULチャネル指示は、ULチャネル割振りパラメータと関連付けられる。第1のUL通信チャネルは、ULチャネル割振りパラメータに基づいて決定される。複数のMPDUは各々、トリガPPDUを受信すると複数のUL通信チャネルのうちの1つの上で直ちにBAを送信するように受信側のユーザ端末に示すACKポリシーを含む。BA指示は、ACKポリシーおよびトリガメッセージを含む。第1のBAは、トリガメッセージを取得したこと、および複数のMPDUにおいてACKポリシーを検出したことに応答して、送信される。いくつかの構成では、トリガPPDUは、トリガメッセージを搬送するトリガフレームを含む。トリガフレームはさらに、BAを送信するように受信側のユーザ端末に命令する指示を含む。たとえば、図1および図6を参照すると、ユーザ端末120aは、プリアンブル822を復調することによって、およびプリアンブル822からトリガメッセージを抽出することによって、DL MU PPDU612からトリガメッセージを取得し得る。トリガメッセージは、UL送信を開始するようにユーザ端末120aに命令することができ、ULチャネル割振りパラメータを含み得る。ULチャネル指示は、ULチャネル割振りパラメータと関連付けられ得る。
【００８８】
いくつかの構成では、図9に示される動作916内で、第1のユーザ端末は916-fと関連付けられる動作を実行し得る。動作1033において、第1のユーザ端末は、DL MU PPDUを受信したことに続いてアクセスポイントから第2のPPDUを受信し得る。たとえば、図1および図4を参照すると、ユーザ端末120aは、DL MU PPDU412を受信した後でアクセスポイント110からTM/BAR PPDU414(第2のPPDU)を受信し得る。
【００８９】
続いて動作1036において、第1のユーザ端末は、第2のPPDUからトリガメッセージを取得し得る。トリガメッセージは、UL送信を開始するように第1のユーザ端末にシグナリングし、ULチャネル割振りパラメータを含む。ULチャネル指示は、ULチャネル割振りパラメータを含む。一例では、図1および図4を参照すると、ユーザ端末120aは、TM/BAR PPDU414のプリアンブル422を復調してトリガメッセージを抽出することによって、トリガメッセージ424を取得し得る。別の例では、トリガメッセージが制御ラッパーフレーム437に配置される場合、ユーザ端末120aは、制御ラッパーフレーム437を復号し、制御ラッパーフレーム437からトリガメッセージ434を抽出し得る。
【００９０】
続いて動作1039において、第1のユーザ端末は、第2のPPDUからブロック肯定応答要求(BAR)メッセージを取得し得る。BARメッセージは、BAを送信するように第1のユーザ端末にシグナリングする。第1のUL通信チャネルは、ULチャネル割振りパラメータに基づいて決定される。複数のMPDUは各々、BARメッセージを受信したことに応答してBAを送信するように受信側のユーザ端末に示すACKポリシーを含む。BA指示は、ACKポリシー、トリガメッセージ、およびBARメッセージを含む。第1のBAは、トリガメッセージおよびBARメッセージを取得したことに応答して、送信される。たとえば、図1および図4を参照すると、ユーザ端末120aは、TM/BAR PPDU414のデータ部分426を復調することによって、およびBARフレーム428を抽出することによって、BARフレーム428を取得し得る。別の例では、ユーザ端末120aは、制御ラッパーフレーム437を復調することによって、および、制御ラッパーフレーム437の搬送されるフレームフィールドの中のBARフレーム438を抽出することによって、BARフレーム438を取得し得る。
【００９１】
上で論じられたように、いくつかの構成では、トリガメッセージは第2のPPDUのプリアンブルに配置される。第2のPPDUは、BARメッセージを搬送するBARフレームを含む。いくつかの構成では、第2のPPDUは制御ラッパーフレームを搬送する。制御ラッパーフレームは、BARメッセージを搬送するBARフレームを包む。トリガメッセージは制御ラッパーフレームのフィールドに含まれる。いくつかの構成では、第2のPPDUはA-MPDUを搬送する。A-MPDUは、トリガメッセージを搬送するトリガフレームおよびBARメッセージを搬送するBARフレームを含む。
【００９２】
図11は、例示的なワイヤレス通信デバイス1100の機能ブロック図である。ワイヤレス通信デバイス1100は、受信機1105、処理システム1110、および送信機1115を含み得る。処理システム1110は、BA構成要素1124を含み得る。BA構成要素1124は、本明細書において列挙される様々な機能を実行するように構成され得る。
【００９３】
ワイヤレス通信デバイス1100は、第1のユーザ端末であり得る。受信機1105、処理システム1110、および/またはBA構成要素1124は、複数のDL通信チャネルのうちの第1のDL通信チャネル上で、ワイヤレス通信デバイス1100と複数のDL通信チャネル上の第2のユーザ端末とを含む複数のユーザ端末へアクセスポイントによって送信されるDL MU PPDUを受信するように構成され得る。DL MU PPDUは複数のMPDUを含み得る。送信機1115、処理システム1110、および/またはBA構成要素1124は、複数のUL通信チャネルのうちの第1のUL通信チャネル上で、複数のUL通信チャネルのうちの第2のUL通信チャネル上での第2のユーザ端末からアクセスポイントへの第2のBAの送信と同時期に、第1のBAをアクセスポイントへ送信するように構成され得る。第1のBAは、複数のMPDUのうちの1つまたは複数のMPDUに肯定応答し得る。別の構成では、処理システム1110および/またはBA構成要素1124は、ULチャネル指示およびBA指示を取得するように構成され得る。第1のBAの送信は、ULチャネル指示およびBA指示に基づき得る。別の構成では、処理システム1110および/またはBA構成要素1124は、第1のDL通信チャネルのDLチャネル割振りパラメータに基づいて、第1のDL通信チャネルと相互的なUL通信チャネルを決定するように構成され得る。ULチャネル指示はDLチャネル割振りパラメータに基づくことがあり、第1のUL通信チャネルはUL通信チャネルであることがある。この構成では、複数のMPDUの各MPDUは、複数のUL通信チャネルのうちの1つの上で直ちにBAを送信するように受信側のユーザ端末に命令し得るACKポリシーを含み得る。BA指示はACKポリシーを含むことがあり、第1のBAは複数のMPDUの中でACKポリシーを検出したことに応答して送信され得る。別の構成では、処理システム1110および/またはBA構成要素1124は、DL MU PPDUから第1のDL通信チャネルのDLチャネル割振りパラメータを取得することによって、および、DLチャネル割振りパラメータに基づいてULチャネル割振りパラメータを決定することによって、UL通信チャネルを決定するように構成され得る。相互的なUL通信チャネルは、ULチャネル割振りパラメータに基づいて決定され得る。別の構成では、処理システム1110および/またはBA構成要素1124は、DL MU PPDUから複数のUL通信チャネルのULチャネル割振りパラメータを取得するように構成され得る。この構成では、ULチャネル割振りパラメータは複数のUL通信チャネルの各々に等しい帯域幅を割り振ることができ、ULチャネル指示はULチャネル割振りパラメータに基づくことがあり、第1のUL通信チャネルはULチャネル割振りパラメータに基づいて決定されることがある。さらに、複数のMPDUの各MPDUは、複数のUL通信チャネルのうちの1つの上で直ちにBAを送信するように受信側のユーザ端末に命令するACKポリシーを含むことがあり、BA指示はそのACKポリシーを含むことがあり、第1のBAは、ULチャネル割振りパラメータを取得して複数のMPDUにおいてそのACKポリシーを検出したことに応答して、送信され得る。ある態様では、ULチャネル割振りパラメータは、DL MU PPDUのプリアンブルから取得され得る。別の構成では、ワイヤレス通信デバイス1100は、複数のUL通信チャネルのULチャネル割振りパラメータを用いて事前に構成され得る。ULチャネル割振りパラメータは、等しい帯域幅を複数のUL通信チャネルの各々に割り振り得る。この構成���は、処理システム1110および/またはBA構成要素1124は、第1のDL通信チャネルのDLチャネルインデックスを決定すること、および、DLチャネルインデックスに基づいて第1のUL通信チャネルのULチャネルインデックスを決定することによって、ULチャネル指示を取得するように構成されることがあり、ULチャネル指示はDLチャネルインデックスを含む。第1のUL通信チャネルは、ULチャネル割振りパラメータおよびULチャネルインデックスに基づいて決定され得る。複数のMPDUの各MPDUは、複数のUL通信チャネルのうちの1つの上で直ちにBAを送信するように受信側のユーザ端末に命令するACKポリシーを含み得る。BA指示はACKポリシーを含むことがあり、第1のBAは複数のMPDUの中でACKポリシーを検出したことおよびULチャネルインデックスの決定に応答して送信され得る。別の構成では、処理システム1110および/またはBA構成要素1124は、DL MU PPDUからトリガメッセージを取得するように構成され得る。トリガメッセージは、DL MU PPDUのプリアンブルに、または、DL MU PPDUにおいて搬送されるワイヤレス通信デバイス1100へ宛てられるDL MU PPDU内のA-MPDUに配置され得る。トリガメッセージは、UL送信を開始するようにワイヤレス通信デバイス1100に命令することができ、ULチャネル割振りパラメータを含む。この構成では、第1のUL通信チャネルはULチャネル割振りパラメータに基づいて決定されることがあり、ULチャネル指示はULチャネル割振りパラメータを含むことがあり、複数のMPDUの各MPDUは、複数のUL通信チャネルのうちの1つの上で直ちにBAを送信するように受信側のユーザ端末に命令するACKポリシーを含むことがあり、BA指示はそのACKポリシーおよびトリガメッセージを含むことがあり、第1のBAは、トリガメッセージを取得して複数のMPDUにおいてそのACKポリシーを検出したことに応答して、送信され得る。別の態様では、ワイヤレス通信デバイス1100は、第1のUL通信チャネル上で第1のBAを送信した後で、ULデータを送信するように構成され得る。別の態様では、A-MPDUはトリガメッセージを搬送するトリガフレームを含むことがあり、トリガフレームはRAを含まないことがあり、ワイヤレス通信デバイス1100はA-MPDU中の別のフレームのRAに基づいてトリガフレームのRAを決定するように構成されることがある。別の構成では、処理システム1110および/BA構成要素1124は、DL MU PPDUを受信したことに続いてアクセスポイントからトリガPPDUを受信し、トリガPPDUからトリガメッセージを取得するように構成され得る。トリガメッセージは、UL送信を開始するようにワイヤレス通信デバイス1100に命令することができ、ULチャネル割振りパラメータを含み得る。ULチャネル指示はULチャネル割振りパラメータを含むことがあり、第1のUL通信チャネルはULチャネル割振りパラメータに基づいて決定されることがある。複数のMPDUの各MPDUは、複数のUL通信チャネルのうちの1つの上でトリガPPDUを受信すると直ちにBAを送信するように受信側のユーザ端末に命令するACKポリシーを含むことがあり、BA指示はそのACKポリシーおよびトリガメッセージを含むことがあり、第1のBAは、トリガメッセージを取得して複数のMPDUにおいてそのACKポリシーを検出したことに応答して、送信され得る。別の態様では、トリガPPDUはトリガメッセージを搬送するトリガフレームを含むことがあり、トリガフレームはさらに���BAを送信するように受信側のユーザ端末に命令する指示を含むことがある。別の構成では、処理システム1110および/BA構成要素1124は、DL MU PPDUを受信したことに続いてアクセスポイントから第2のPPDUを受信し、第2のPPDUからトリガメッセージを取得するように構成され得る。トリガメッセージは、UL送信を開始するように第1のユーザ端末に命令することができ、ULチャネル割振りパラメータを含み得る。ULチャネル指示は、ULチャネル割振りパラメータを含み得る。この構成では、処理システム1110および/またはBA構成要素1124はさらに、第2のPPDUからBARメッセージを取得するように構成され得る。BARメッセージは、BAを送信するように第1のユーザ端末に命令し得る。第1のUL通信チャネルは、ULチャネル割振りパラメータに基づいて決定され得る。複数のMPDUの各MPDUは、BARメッセージを受信したことに応答してBAを送信するように受信側のユーザ端末に命令するACKポリシーを含み得る。BA指示は、ACKポリシー、トリガメッセージ、およびBARメッセージを含み得る。第1のBAは、トリガメッセージおよびBARメッセージを取得したことに応答して、送信され得る。別の態様では、トリガメッセージは第2のPPDUのプリアンブルに配置されることがあり、第2のPPDUはBARメッセージを搬送するBARフレームを含むことがある。別の態様では、第2のPPDUは制御ラッパーフレームを搬送することがあり、制御ラッパーフレームはBARメッセージを搬送するBARフレームを包むことがあり、トリガメッセージは制御ラッパーフレームのフィールドに含まれることがある。別の態様では、第2のPPDUはA-MPDUを搬送することがあり、A-MPDUは、トリガメッセージを搬送するトリガフレームとBARメッセージを搬送するBARフレームとを含むことがある。
【００９４】
一構成では、ワイヤレス通信デバイス1100は、複数のDL通信チャネルのうちの第1のDL通信チャネル上で、ワイヤレス通信デバイス1100と複数のDL通信チャネル上の第2のユーザ端末とを含む複数のユーザ端末へアクセスポイントによって送信されるDL MU PPDUを受信するための手段を含み得る。DL MU PPDUは複数のMPDUを含み得る。ワイヤレス通信デバイス1100は、複数のUL通信チャネルのうちの第1のUL通信チャネル上で、複数のUL通信チャネルのうちの第2のUL通信チャネル上での第2のユーザ端末からアクセスポイントへの第2のBAの送信と同時期に、第1のBAをアクセスポイントへ送信するための手段を含み得る。第1のBAは、複数のMPDUのうちの1つまたは複数のMPDUに肯定応答し得る。別の構成では、ワイヤレス通信デバイス1100は、ULチャネル指示およびBA指示を取得するための手段を含み得る。第1のBAの送信は、ULチャネル指示およびBA指示に基づき得る。別の構成では、ワイヤレス通信デバイス1100は、第1のDL通信チャネルのDLチャネル割振りパラメータに基づいて、第1のDL通信チャネルと相互的なUL通信チャネルを決定するための手段を含み得る。ULチャネル指示はDLチャネル割振りパラメータに基づくことがあり、第1のUL通信チャネルはUL通信チャネルであることがある。この構成では、複数のMPDUの各MPDUは、複数のUL通信チャネルのうちの1つの上で直ちにBAを送信するように受信側のユーザ端末に命令し得るACKポリシーを含み得る。BA指示はACKポリシーを含むことがあり、第1のBAは複数のMPDUの中でACKポリシーを検出したことに応答して送信され得る。別の構成では、ワイヤレス通信デバイス1100は、DL MU PPDUから第1のDL通信チャネルのDLチャネル割振りパラメータを取得することによって、および、DLチャネル割振りパラメータに基づいてULチャネル割振りパラメータを決定することによって、UL通信チャネルを決定するための手段を含み得る。相互的なUL通信チャネルは、ULチャネル割振りパラメータに基づいて決定され得る。別の構成では、ワイヤレス通信デバイス1100は、DL MU PPDUから複数のUL通信チャネルのULチャネル割振りパラメータを取得するための手段を含み得る。この構成では、ULチャネル割振りパラメータは複数のUL通信チャネルの各々に等しい帯域幅を割り振ることができ、ULチャネル指示はULチャネル割振りパラメータに基づくことがあり、第1のUL通信チャネルはULチャネル割振りパラメータに基づいて決定されることがある。さらに、複数のMPDUの各MPDUは、複数のUL通信チャネルのうちの1つの上で直ちにBAを送信するように受信側のユーザ端末に命令するACKポリシーを含むことがあり、BA指示はそのACKポリシーを含むことがあり、第1のBAは、ULチャネル割振りパラメータを取得して複数のMPDUにおいてそのACKポリシーを検出したことに応答して、送信され得る。ある態様では、ULチャネル割振りパラメータは、DL MU PPDUのプリアンブルから取得され得る。別の構成では、ワイヤレス通信デバイス1100は、複数のUL通信チャネルのULチャネル割振りパラメータを用いて事前に構成され得る。ULチャネル割振りパラメータは、等しい帯域幅を複数のUL通信チャネルの各々に割り振り得る。この構成では、ワイヤレス通信デバイス1100は、第1のDL通信チャネルのDLチャネルインデックスを決定すること、および、DLチャネルインデックスに基づいて第1のUL通信チャネルのULチャネルインデックスを決定することによって、ULチャネル指示を取得するための手段を含むことがあり、ULチャネル指示はDLチャネルインデックスを含む。第1のUL通信チャネルは、ULチャネル割振りパラメータおよびULチャネルインデックスに基づいて決定され得る。複数のMPDUの各MPDUは、複数のUL通信チャネルのうちの1つの上で直ちにBAを送信するように受信側のユーザ端末に命令するACKポリシーを含み得る。BA指示はACKポリシーを含むことがあり、第1のBAは複数のMPDUの中でACKポリシーを検出したことおよびULチャネルインデックスの決定に応答して送信され得る。別の構成では、ワイヤレス通信デバイス1100は、DL MU PPDUからトリガメッセージを取得するための手段を含み得る。トリガメッセージは、DL MU PPDUのプリアンブルに、または、DL MU PPDUにおいて搬送されるワイヤレス通信デバイス1100へ宛てられるDL MU PPDU内のA-MPDUに配置され得る。トリガメッセージは、UL送信を開始するようにワイヤレス通信デバイス1100に命令することができ、ULチャネル割振りパラメータを含む。この構成では、第1のUL通信チャネルはULチャネル割振りパラメータに基づいて決定されることがあり、ULチャネル指示はULチャネル割振りパラメータを含むことがあり、複数のMPDUの各MPDUは、複数のUL通信チャネルのうちの1つの上で直ちにBAを送信するように受信側のユーザ端末に命令するACKポリシーを含むことがあり、BA指示はそのACKポリシーおよびトリガメッセージを含むことがあり、第1のBAは、トリガメッセージを取得して複数のMPDUにおいてそのACKポリシーを検出したことに応答して、送信され得る。別の態様では、ワイヤレス通信デバイス1100は、第1のUL通信チャネル上で第1のBAを送信した後で、ULデータを送信するように構成され得る。別の態様では、A-MPDUはトリガメッセージを搬送するトリガフレームを含むことがあり、トリガフレームはRAを含まないことがあり、ワイヤレス通信デバイス1100はA-MPDU中の別のフレームのRAに基づいてトリガフレームのRAを決定するように構成されることがある。別の構成では、ワイヤレス通信デバイス1100は、DL MU PPDUを受信したことに続いてアクセスポイントからトリガPPDUを受信し、トリガPPDUからトリガメッセージを取得するための手段を含み得る。トリガメッセージは、UL送信を開始するようにワイヤレス通信デバイス1100に命令することができ、ULチャネル割振りパラメータを含み得る。ULチャネル指示はULチャネル割振りパラメータを含むことがあり、第1のUL通信チャネルはULチャネル割振りパラメータに基づいて決定されることがある。複数のMPDUの各MPDUは、複数のUL通信チャネルのうちの1つの上でトリガPPDUを受信すると直ちにBAを送信するように受信側のユーザ端末に命令するACKポリシーを含むことがあり、BA指示はそのACKポリシーおよびトリガメッセージを含むことがあり、第1のBAは、トリガメッセージを取得して複数のMPDUにおいてそのACKポリシーを検出したことに応答して、送信され得る。別の態様では、トリガPPDUはトリガメッセージを搬送するトリガフレームを含むことがあり、トリガフレームはさらに、BAを送信するように受信側のユーザ端末に命令する指示を含むことがある。別の構成では、ワイヤレス通信デバイス1100は、DL MU PPDUを受信したことに続いてアクセスポイントから第2のPPDUを受信し、��2のPPDUからトリガメッセージを取得するための手段を含み得る。トリガメッセージは、UL送信を開始するように第1のユーザ端末に命令することができ、ULチャネル割振りパラメータを含み得る。ULチャネル指示は、ULチャネル割振りパラメータを含み得る。この構成では、ワイヤレス通信デバイス1100は、第2のPPDUからBARメッセージを取得するための手段を含み得る。BARメッセージは、BAを送信するように第1のユーザ端末に命令し得る。第1のUL通信チャネルは、ULチャネル割振りパラメータに基づいて決定され得る。複数のMPDUの各MPDUは、BARメッセージを受信したことに応答してBAを送信するように受信側のユーザ端末に命令するACKポリシーを含み得る。BA指示は、ACKポリシー、トリガメッセージ、およびBARメッセージを含み得る。第1のBAは、トリガメッセージおよびBARメッセージを取得したことに応答して、送信され得る。別の態様では、トリガメッセージは第2のPPDUのプリアンブルに配置されることがあり、第2のPPDUはBARメッセージを搬送するBARフレームを含むことがある。別の態様では、第2のPPDUは制御ラッパーフレームを搬送することがあり、制御ラッパーフレームはBARメッセージを搬送するBARフレームを包むことがあり、トリガメッセージは制御ラッパーフレームのフィールドに含まれることがある。別の態様では、第2のPPDUはA-MPDUを搬送することがあり、A-MPDUは、トリガメッセージを搬送するトリガフレームとBARメッセージを搬送するBARフレームとを含むことがある。
【００９５】
たとえば、受信するための手段は、RX空間プロセッサ260m、RXデータプロセッサ270m、受信機1105、処理システム1110、コントローラ280m、および/またはBA構成要素1124を含み得る。送信するための手段は、TX空間プロセッサ290m、TXデータプロセッサ288m、送信機1115、処理システム1110、コントローラ280m、および/またはBA構成要素1124を含み得る。ULチャネルを取得するための手段は、RX空間プロセッサ260m、RXデータプロセッサ270m、受信機1105、処理システム1110、コントローラ280m、および/またはBA構成要素1124を含み得る。UL通信チャネルを決定するための手段は、RX空間プロセッサ260m、RXデータプロセッサ270m、受信機1105、処理システム1110、コントローラ280m、および/またはBA構成要素1124を含み得る。ULチャネル割振りパラメータを取得するための手段は、RX空間プロセッサ260m、RXデータプロセッサ270m、受信機1105、処理システム1110、コントローラ280m、および/またはBA構成要素1124を含み得る。取得するための手段は、RX空間プロセッサ260m、RXデータプロセッサ270m、受信機1105、処理システム1110、コントローラ280m、および/またはBA構成要素1124を含み得る。受信するための手段は、RX空間プロセッサ260m、RXデータプロセッサ270m、受信機1105、処理システム1110、コントローラ280m、および/またはBA構成要素1124を含み得る。トリガメッセージを取得するための手段は、RX空間プロセッサ260m、RXデータプロセッサ270m、受信機1105、処理システム1110、コントローラ280m、および/またはBA構成要素1124を含み得る。第2のPPDUを受信するための手段は、RX空間プロセッサ260m、RXデータプロセッサ270m、受信機1105、処理システム1110、コントローラ280m、および/またはBA構成要素1124を含み得る。第2のPPDUからトリガメッセージを取得するための手段は、RX空間プロセッサ260m、RXデータプロセッサ270m、受信機1105、処理システム1110、コントローラ280m、および/またはBA構成要素1124を含み得る。BARメッセージを取得するための手段は、RX空間プロセッサ260m、RXデータプロセッサ270m、受信機1105、処理システム1110、コントローラ280m、および/またはBA構成要素1124を含み得る。
【００９６】
上で説明された方法の様々な動作は、様々なハードウェアおよび/またはソフトウェア構成要素、回路、および/またはモジュールなどの、動作を実行することが可能な任意の適切な手段によって実行され得る。全般に、図に示された任意の動作は、その動作を実行することが可能な対応する機能的手段によって実行され得る。
【００９７】
開示されたプロセス/フローチャートにおけるブロックの具体的な順序または階層は、例示的な手法の説明であることを理解されたい。設計上の優先事項に基づいて、プロセス/フローチャートにおけるブロックの具体的な順序または階層が並べ替えられてもよいことを理解されたい。さらに、いくつかのブロックは組み合わされてもよく、または省略されてもよい。添付の方法クレームは、様々なブロックの要素を例示的な順序で提示したものであり、提示された特定の順序または階層に限定されるものではない。
【００９８】
当業者は、情報および信号が、様々な異なる技術および技法のいずれかを使用して表され得ることを理解されよう。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【００９９】
別個の実装形態の文脈で本明細書において説明されるいくつかの特徴は、単一の実装形態において組み合わせて実装されることも可能である。逆に、単一の実装形態の文脈で説明される様々な特徴は、複数の実装形態において別々に、または任意の適切な部分組合せにおいて実装されることも可能である。その上、特徴は、いくつかの組合せで機能すると上で説明され、さらに最初にそのように特許請求されることがあるが、特許請求される組合せからの1つまたは複数の特徴が、場合によっては、その組合せから削除されることがあり、特許請求される組合せは、部分組合せまたは部分組合せの変形を対象にすることがある。
【０１００】
本開示に関して説明された様々な例示的な論理ブロック、構成要素、および回路は、汎用プロセッサ、DSP、ASIC、FPGA、もしくは他のPLD、個別ゲートもしくはトランジスタ論理、個別ハードウェア構成要素、または本明細書において説明された機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であってもよい。プロセッサはまた、コンピューティングデバイスの組合せ、たとえば、DSPおよびマイクロプロセッサの組合せ、複数のマイクロプロセッサ、DSPコアと連携した1つもしくは複数のマイクロプロセッサ、または任意の他のそのような構成として実装され得る。
【０１０１】
1つまたは複数の態様では、説明された機能は、ハードウェア、ソフトウェア、ファームウェア、またはそれらの任意の組合せで実装され得る。ソフトウェアで実装される場合、機能は、1つまたは複数の命令またはコードとして、コンピュータ可読媒体上に記憶されるか、またはコンピュータ可読媒体を介して送信され得る。コンピュータ可読媒体は、コンピュータ記憶媒体と、コンピュータプログラムのある場所から別の場所への転送を容易にする任意の媒体を含む通信媒体との、両方を含む。記憶媒体は、コンピュータによりアクセスされ得る任意の利用可能な媒体であり得る。限定ではなく例として、そのようなコンピュータ可読媒体は、RAM、ROM、EEPROM、コンパクトディスク(CD)ROM(CD-ROM)もしくは他の光ディスクストレージ、磁気ディスクストレージもしくは他の磁気ストレージデバイス、または、命令もしくはデータ構造の形態の所望のプログラムコードを搬送もしくは記憶するために使用されコンピュータによってアクセスされ得る任意の他の媒体を含み得る。また、任意の接続が、適正にコンピュータ可読媒体と称される。たとえば、ソフトウェアが、同軸ケーブル、光ファイバーケーブル、ツイストペア、デジタル加入者回線(DSL)、または赤外線、無線、およびマイクロ波などのワイヤレス技術を使用してウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書において使用されるディスク(disk)およびディスク(disc)は、CD、レーザーディスク(登録商標)(disc)、光ディスク(disc)、デジタル多用途ディスク(disc)(DVD)、フロッピーディスク(disk)およびBlu-ray(登録商標)ディスク(disc)を含み、ディスク(disk)は通常、データを磁気的に再生し、ディスク(disc)は、レーザーを用いてデータを光学的に再生する。したがって、コンピュータ可読媒体は、非一時的コンピュータ可読媒体(たとえば、有形媒体)を備える。
【０１０２】
本明細書において開示される方法は、説明された方法を実現するための1つまたは複数のステップまたはアクションを含む。方法ステップおよび/または方法アクションは、特許請求の範囲から逸脱することなく互いに入れ替えられ得る。言い換えれば、ステップまたはアクションの特定の順序が指定されない限り、特定のステップおよび/またはアクションの順序および/または使用は、特許請求の範囲から逸脱することなく変更され得る。
【０１０３】
さらに、本明細書において説明された方法および技法を実行するための構成要素および/または他の適切な手段が、適用可能なとき、ユーザ端末および/または基地局によってダウンロードされ、かつ/または別の方法で取得され得ることを諒解されたい。たとえば、そのようなデバイスは、本明細書において説明された方法を実行するための手段の転送を容易にするためにサーバに結合され得る。代替として、本明細書において説明された様々な方法は、ユーザ端末および/または基地局が、記憶手段をデバイスに結合または提供すると様々な方法を取得できるように、記憶手段(たとえば、RAM、ROM、CDまたはフロッピーディスクなどの物理的記憶媒体など)を介して提供され得る。その上、本明細書において説明された方法および技法をデバイスに提供するための、任意の他の好適な技法が利用され得る。
【０１０４】
上記のことは本開示の態様を対象とするが、本開示の他の態様およびさらなる態様が、その基本的な範囲から逸脱することなく考案されることがあり、その範囲は、以下の特許請求の範囲によって決定される。
【０１０５】
上記の説明は、本明細書において説明された様々な態様を任意の当業者が実践することを可能にするために提供される。これらの態様への様々な変更が当業者には容易に明らかになり、本明細書において定義された一般的な原理は他の態様に適用され得る。したがって、特許請求の範囲は、本明細書に示される態様に限定されることは意図されず、クレームの文言と一致するすべての範囲を与えられるべきであり、単数形での要素への参照は、そのように明記されていない限り、「唯一無二の」ではなく、「1つまたは複数の」を意味することが意図される。「例示的な」という単語は、本明細書では、「例、実例、または例証として機能する」を意味するために使用される。「例示的」として本明細書において説明されるいずれの態様も、必ずしも他の態様よりも好ましいか、または有利であると解釈されるべきでない。別段に明記されていない限り、「いくつかの」という用語は、1つまたは複数を指す。「A、B、またはCのうちの少なくとも1つ」、「A、B、およびCのうちの少なくとも1つ」、「A、B、C、またはそれらの任意の組合せ」などの組合せは、A、B、および/またはCの任意の組合せを含み、複数のA、複数のB、または複数のCを含み得る。具体的には、「A、B、またはCのうちの少なくとも1つ」、「A、B、およびCのうちの少なくとも1つ」、「A、B、C、またはそれらの任意の組合せ」などの組合せは、Aのみ、Bのみ、Cのみ、AおよびB、AおよびC、BおよびC、またはAおよびBおよびCであることがあり、任意のそのような組合せは、A、B、またはCのうちの1つまたは複数のメンバーを含み得る。当業者にとって周知の、または後に周知となる、本開示全体を通じて説明された様々な態様の要素に対するすべての構造的および機能的均等物が、参考として本明細書に明白に組み込まれ、特許請求の範囲によって包含されることが意図される。その上、本明細書において開示されたものは、そのような開示が特許請求の範囲において明示的に列挙されているかどうかにかかわらず、公に供されることは意図されていない。「ための手段」という句を使用して要素が明確に列挙されていない限り、いかなるクレーム要素もミーンズプラスファンクションとして解釈されるべきではない。
【符号の説明】
【０１０６】
100  MIMOシステム
110  AP
120  ユーザ端末
130  システムコントローラ
182  BA構成要素
192  BA構成要素
208  データソース
210  TXデータプロセッサ
220  TX空間プロセッサ
222  受信機
224  アンテナ
228  チャネル推定器
230  コントローラ
232  メモリ
234  スケジューラ
240  RX空間プロセッサ
242  RXデータプロセッサ
244  データシンク
252  アンテナ
254  受信機
260  RX空間プロセッサ
270  RXデータプロセッサ
272  データシンク
278  チャネル推定器
280  コントローラ
282  メモリ
286  データソース
288  TXデータプロセッサ
290  TX空間プロセッサ
302  ワイヤレスデバイス
304  プロセッサユニット
306  メモリ
310  送信機
312  受信機
314  トランシーバ
316  トランシーバアンテナ
318  信号検出器
322  ユーザインターフェース
372  BA構成要素
412  DL MU PPDU
413  A-MPDU
414  TM/BAR PPDU
415  期間
416  BAフレーム
420  DL PPDU
422  プリアンブル
424  TM
426  データ部分
428  BARフレーム
430  DL PPDU
432  プリアンブル
434  トリガメッセージ
436  データ部分
437  制御ラッパーフレーム
438  BARフレーム
440  DL PPDU
442  プリアンブル
444  トリガフレーム
446  データ部分
447  A-MPDU
448  BARフレーム
450  DL PPDU
452  プリアンブル
456  データ部分
458  トリガ/BARフレーム
512  DL MU PPDU
513  A-MPDU
514  TM PPDU
516  BAフレーム
520  MACフレーム
522  フレームヘッダ
524  QoSフィールド
526  Ackポリシー
532  フレーム本体
536  データ
540  トリガフレーム
552  期間
554  期間
612  DL MU PPDU
613  A-MPDU
614  TM PPDU
615  期間
616  BAフレーム
622  プリアンブル
624  データ部分
632  HE-SIG A
636  HE-SIG B
660  A-MPDU
664  MPDU
668  トリガフレーム
712  DL MU PPDU
713  A-MPDU
715  期間
716  BAフレーム
722  プリアンブル
724  データ部分
812  DL MU PPDU
813  A-MPDU
815  期間
816  BAフレーム
822  プリアンブル
824  データ部分
900  フローチャート
1000  フローチャート
1100  ワイヤレス通信デバイス
1106  受信機
1110  処理システム
1115  送信機
1124  BA構成要素
【図１】
0006518791.tif 000002
【図２】
0006518791.tif 000003
【図３】
0006518791.tif 000004
【図４】
0006518791.tif 000005
【図５】
0006518791.tif 000006
【図６】
0006518791.tif 000007
【図７】
0006518791.tif 000008
【図８】
0006518791.tif 000009
【図９】
0006518791.tif 000010
【図１０】
0006518791.tif 000011
【図１１】
0006518791.tif 000012